(57)【要約】 【課題】従来の液晶表示装置においては、コントラストが低下したり、動画応答性が低下する。【解決手段】マトリクス状に形成された信号線及び走査線と、信号線及び走査線の交点に対応して形成された液晶表示素子とを有する液晶表示パネル１０と、液晶表示パネル１０の信号線に表示用データに対応する印加電圧を印加するソースドライバ２と、連続的または段階的に輝度の増減が可能であり、液晶表示パネルを照明するバックライト１１と、バックライト１１の所定の点灯期間において、信号線を介して印加電圧が液晶表示素子に書き込まれた電圧である書き込み電圧に基づいて、バックライト１１の輝度を制御するバックライト制御部１９とを備える。【選択図】図１
2008304644.tif 000002
【特許請求の範囲】
【請求項１】
マトリクス状に形成された信号線及び走査線と、前記信号線及び走査線の交点に対応して形成された液晶表示素子とを有する液晶表示パネルと、
前記液晶表示パネルの信号線に表示用データに対応する印加電圧を印加するソースドライバと、
連続的または段階的に輝度の増減が可能であり、前記液晶表示パネルを照明するバックライトと、
前記バックライトの所定の点灯期間において、前記信号線を介して前記印加電圧が前記液晶表示素子に書き込まれた電圧である書き込み電圧に基づいて、前記バックライトの輝度を制御するバックライト制御部とを備えた、液晶表示装置。
【請求項２】
前記液晶表示パネルは、前記液晶表示素子毎に蓄積容量を有し、
前記書き込み電圧とは、前記信号線を介して前記蓄積容量に保持された前記印加電圧が前記液晶表示素子に書き込まれた電圧である、請求項１記載の液晶表示装置。
【請求項３】
前記書き込み電圧に、前記バックライトの輝度を対応付けるバックライト輝度情報を予め記憶している記憶部を備え、
前記バックライト制御部は、前記バックライト輝度情報を利用して前記バックライトの輝度を制御する、請求項１記載の液晶表示装置。
【請求項４】
前記液晶表示パネルの温度を検出する温度センサを備え、
前記記憶部は、検出された前記温度に応じた、複数とおりの前記バックライト輝度情報を記憶しており、
前記バックライト制御部は、複数とおりの前記バックライト輝度情報のうち検出された前記温度に応じた前記バックライト輝度情報を利用して前記バックライトの輝度を制御する、請求項３記載の液晶表示装置。
【請求項５】
前記書き込み電圧に基づいて、前記バックライトの輝度を制御するとは、前記書き込み電圧の前記印加電圧に対する比率に応じた輝度に、前記バックライトの輝度を設定することである、請求項１記載の液晶表示装置。
【請求項６】
前記液晶表示素子に書き込まれた電圧が前記印加電圧に到達する場合、前記書き込み電圧とは、（１）１フレーム期間または１フィールド期間の最初に走査される走査線上に存在する前記液晶表示素子に書き込まれた電圧と、（２）前記１フレーム期間または前記１フィールド期間の最後に走査される走査線上に存在する前記液晶表示素子に書き込まれた電圧とである、請求項１記載の液晶表示装置。
【請求項７】
前記液晶表示素子に書き込まれた電圧が前記印加電圧に到達しない場合、前記書き込み電圧とは、前記液晶表示パネルの中央に位置する前記走査線上に存在する前記液晶表示素子の前記書き込み電圧である、請求項１記載の液晶表示装置。
【請求項８】
前記バックライト制御部は、前記バックライトに供給するＰＷＭ信号のデューティを設定することにより、前記バックライトの輝度を制御する、請求項１記載の液晶表示装置。
【請求項９】
前記バックライト制御部は、前記バックライトに供給する電圧を制御することにより、前記バックライトの輝度を制御する、請求項１記載の液晶表示装置。
【請求項１０】
前記バックライト制御部は、前記バックライトに供給する電流を制御することにより、前記バックライトの輝度を制御する、請求項１記載の液晶表示装置。
【請求項１１】
マトリクス状に形成された信号線及び走査線と、前記信号線及び走査線の交点に対応して形成された液晶表示素子を有する液晶表示パネルと、
前記液晶表示パネルの信号線に表示用データに対応する印加電圧を印加するソースドライバと、
連続的または段階的に輝度の増減が可能であり、前記液晶表示パネルを照明するバックライトとを備えた液晶表示装置を駆動する液晶表示装置の駆動方法であって、
前記信号線を介して前記印加電圧が前記液晶表示素子に書き込まれた電圧である書き込み電圧に基づいて、前記バックライトの輝度を制御するバックライト制御ステップを備えた、液晶表示装置の駆動方法。
【請求項１２】
請求項１１記載の液晶表示装置の駆動方法の、前記信号線を介して前記印加電圧が前記液晶表示素子に書き込まれた電圧である書き込み電圧に基づいて、前記バックライトの輝度を制御するバックライト制御ステップをコンピュータに実行させるためのプログラム。
【請求項１３】
請求項１２記載のプログラムを記録した記録媒体であって、コンピュータにより処理可能な記録媒体。
【発明の詳細な説明】
【技術分野】
【０００１】
本発明は、液晶表示パネルを照明するバックライトを備えた液晶表示装置、液晶表示装置の駆動方法、プログラム、及び記録媒体に関するものである。
【背景技術】
【０００２】
液晶表示装置は薄型、軽量であり、従来のブラウン管に代替するものとして、近年一層用途が拡大されてきた。しかし、現在広く使用されているＴＮ（Ｔｗｉｓｔｅｄ  Ｎｅｍａｔｉｃ）配向液晶表示パネルは視野角が狭く、また応答速度が遅く、動画表示時には尾を引くように見える等、ブラウン管より画質が劣る。
【０００３】
これに対して、近年、高速応答、高視野角という特徴を有するＯＣＢ（Ｏｐｔｉｃａｌｌｙ  Ｃｏｍｐｅｎｓａｔｅｄ  Ｂｉｒｅｆｒｉｎｇｅｎｃｅ）モードの表示素子を備える液晶表示装置が用いられるようになってきている。この液晶表示装置は、液晶をベンド配向させて視覚補償を行い、さらにこれに光学位相補償フィルムを組み合わせることにより広い視野角を得るようにしたものである。
【０００４】
図１９は、ＯＣＢモードの表示素子が有する液晶分子の配向状態を模式的に示した断面図である。図１９（ａ）および図１９（ｂ）は、電圧印加状態を示した断面図であり、図１９（ｃ）は、電圧無印加状態を示した断面図である。
【０００５】
ＯＣＢモードの表示素子を用いた液晶表示装置を構成する液晶表示パネルのガラス基板６１の間には、図１９（ａ）等に液晶分子６２として示すように、ネマチック液晶が注入されている。そして、電圧を印加していない液晶の配向状態は、スプレイ状態６３と呼ばれている。ＯＣＢモードの表示素子を用いた液晶表示装置の電源投入時には転移駆動と呼ばれる駆動を行う必要がある。すなわち、転移駆動とは、液晶表示装置の電源投入時にこの液晶層に２０ボルトから２５ボルト程度の比較的大きな電圧を印加することにより、図１９（ｃ）に示すスプレイ状態６３から図１９（ａ）、図１９（ｂ）に示すベンド状態６４ａ、６４ｂに転移させる駆動のことを言う。このベンド状態６４ａ、６４ｂを用いて表示を行うのが、ＯＣＢモードの表示素子を用いた液晶表示装置の特徴であり、ＯＣＢモードの表示素子を用いた液晶表示装置は、電圧の大きさによってベンド状態を変化させることにより、パネルの透過率を変化させるものである。
【０００６】
図１９（ａ）に示すベンド状態６４ａは、白表示をしている場合のベンド状態を示し、図１９（ｂ）のベンド状態６４ｂは、黒表示をしている場合のベンド状態を示している。
【０００７】
また、ＯＣＢモードの表示素子を用いた液晶表示装置では、その液晶表示パネルに２ボルト以下の電圧を印加し続けると、液晶の配向状態は、ベンド状態６４ａ、６４ｂからスプレイ状態６３に徐々に移行してしまう（以下この移行を逆転移と呼ぶ）。このような逆転移を防止するために、ＯＣＢモードの表示素子を用いた液晶表示装置では、逆転移防止駆動と呼ばれる駆動が行われる。
【０００８】
つまり、比較的低い電圧が印加されているときに白表示を行い、比較的高い電圧が印加されているときに黒表示を行うノーマリホワイトモードの液晶表示装置の場合、逆転移防止駆動とは、各画素に周期的に表示する映像信号に対応する電圧とは別に黒色に対応する電圧を印加することにより、逆転移を防止する駆動である。逆転移防止駆動には、逆転移の防止のために画素に黒色に対応する電圧を印加する動作と、画素に映像信号に対応する電圧を印加する動作とを交互に行う、２倍速変換と呼ばれる逆転移防止駆動がある（例えば、特許文献１参照）。以下この２倍速変換を黒挿入駆動と呼ぶ。
【０００９】
従って、従来のＯＣＢモードの表示素子を用いた液晶表示装置では、１フレーム（または１フィールド）の映像を表示する期間には、映像信号に対応する電圧を画素に印加している表示期間と、逆転移防止のために黒色に対応する電圧を画素に印加している黒挿入期間とが設けられている。
【００１０】
上述した、黒挿入駆動を用いて、黒挿入期間を長くすることにより、ＯＣＢモードの表示素子を用いた液晶表示装置の表示を、ＣＲＴのようなインパルス型の表示に近づけることが出来、従って、動画視認性を向上させることが出来る。ＯＣＢモードの表示素子の利点である高速応答性を利用することが出来るからである。また、黒挿入駆動を用いることにより、動画視認性を向上させるのみならず、高いコントラストの表示を行うことも可能になる。
【００１１】
なお、現在広く使用されているＴＮ（Ｔｗｉｓｔｅｄ  Ｎｅｍａｔｉｃ）配向液晶表示パネルにおいても、動画視認性を向上させるために、上述した２倍速変換が用いられることがある。このような場合の液晶表示装置の駆動も、黒挿入駆動と呼ぶことにする。
【００１２】
さらに、近年は、ＬＥＤを用いたバックライトの普及や、冷陰極管の高速応答性が向上したことに伴い、ソースドライバ等による液晶表示パネルの駆動に連動してバックライトを駆動するバックライトの駆動方式も実施されつつある。
【００１３】
また、最近では、フィールドシーケンシャルカラー方式の液晶表示装置の開発が進められている（例えば、特許文献２参照）。
【００１４】
フィールドシーケンシャルカラー方式の液晶表示装置は、各画素にカラーフィルタを設けず、１画素で３原色（Ｒ、Ｇ、Ｂ）の画像を順次表示する液晶表示装置であり、従来の駆動方式の液晶表示装置に比べて、高透過率、高解像度化を実現出来る等の利点を有している。
【００１５】
従って、ＯＣＢモードの表示素子を用い、黒挿入駆動を行い、フィールドシーケンシャルカラー方式を採用すると、ＣＲＴのようなインパルス型の表示が実現出来るとともに、高透過率、高解像度で、かつ高コントラストの液晶表示装置を実現することが出来る。
【００１６】
図２０は、従来のフィールドシーケンシャルカラー方式で、黒挿入駆動を行うとともに、ソースドライバ等による液晶表示パネルの駆動に連動してバックライトを駆動する従来の液晶表示装置１０１の主要部を示すブロック図である。
【００１７】
液晶表示装置１０１は、ソースドライバ２、ゲートドライバ３、液晶表示パネル１０、バックライト１１１、及びバックライト制御部１１９を備えている。
【００１８】
液晶表示パネル１０は、アクティブマトリクス方式の液晶表示パネルである。すなわち、液晶表示パネル１０は、アレイ基板上に、信号線と走査線とがマトリックス状に配置され、それらの交点毎に画素が形成されている。
【００１９】
そして各画素は、スイッチング素子、蓄積容量、及び表示層を有している。さらに、表示素子は、画素電極、対向電極、及び画素電極と対向電極とで狭持された液晶層等から構成される。そして、この液晶層としてＯＣＢモード液晶が用いられている。また、液晶表示装置１０１はフィールドシーケンシャル方式であるので、液晶表示パネル１０の対向基板には、赤色、緑色、及び青色のカラーフィルタは形成されていない。
【００２０】
バックライト１１１は、液晶表示パネル１０の背面に配置されており、光源であるＲ（Ｒｅｄ）、Ｇ（Ｇｒｅｅｎ）、Ｂ（Ｂｌｕｅ）の各色の光を発光するＬＥＤや、ＬＥＤから射出された光を液晶表示パネル１０に導く導光板等が設けられている。
【００２１】
ゲートドライバ３は、液晶表示パネル１０の走査線にゲート信号を供給する回路である。
【００２２】
ソースドライバ２は、表示期間のうち各色（Ｒ、Ｇ、Ｂ）の表示期間に、表示用信号の各色に対応する電圧を供給し、黒挿入期間には黒色に対応する電圧を、液晶表示パネル１０の信号線に供給する回路である。
【００２３】
次に、このような従来の液晶表示装置１０１の動作を説明する。
【００２４】
液晶表示装置１０１の電源が入れられた際には、液晶表示パネル１０の液晶層は、図１９（ｃ）に示すようにスプレイ状態６３のままであるので、図１９（ａ）のベンド状態６４ａや図１９（ｂ）のベンド状態６４ｂに転移させる必要がある。そこで、液晶表示装置１０１の電源が入れられた際には、液晶表示装置１０１は、液晶層をスプレイ状態からベンド状態に転移させるために転移駆動を行う。転移駆動により、液晶表示パネル１０の液晶層は、スプレイ状態からベンド状態に転移し、液晶表示装置１０１の表示動作が可能となる。
【００２５】
上記のように転移駆動が完了し、表示動作が可能になると、液晶表示装置１０１は表示動作を開始する。
【００２６】
液晶表示装置１０１のゲートドライバ３は、液晶表示パネル１０に形成されている走査線に順次ゲートパルスを印加する。そして、ゲートドライバ３が、ゲートパルスを走査線に印加するタイミングに同期して、ソースドライバ２は、液晶表示パネル１０の信号線に、表示データの各色に対応する電圧を印加し、また、黒挿入期間には黒色に対応する電圧を印加する。信号線に印加された電圧は、液晶表示パネル１０の各画素の表示素子に書き込まれる。
【００２７】
バックライト制御部１１９は、上記のソースドライバ２等による液晶表示パネル１０の駆動に連動するように、バックライト１１１の点灯、消灯を制御する。
【００２８】
これにより、映像あるいは黒挿入による黒色が液晶表示パネル１０の表示画面に表示される。
【００２９】
図２１は、従来の液晶表示装置１０１の特定の画素の表示素子に書き込まれた電圧波形と、バックライト１１１の各色の点灯消灯状態を示すタイミングチャートである。
【００３０】
図２１において、紙面に向かって、左側から右側に向かって時間が経過している。
【００３１】
図２１において、７５ａは、１フレーム（または１フィールド）期間に最初に走査される走査線上に存在する任意の一つの画素（以下最初の画素と呼ぶ）の表示素子に書き込まれた電圧波形であり、７５ｃは、１フレーム（または１フィールド）期間に最後に走査される走査線上に存在する任意の一つの画素（以下最後の画素と呼ぶ）の表示素子に書き込まれた電圧波形であり、７５ｂは、１フレーム（または１フィールド）期間に最初に走査される走査線と、１フレーム（または１フィールド）期間に最後に走査される走査線との真中に位置する走査線上に存在する特定の画素（以下真中の画素と呼ぶ）の表示素子に書き込まれた電圧波形である。
【００３２】
なお、図２１では、理解を容易にするために、上記の最初の画素、真中の画素、及び最後の画素には、全て同じ色に対応する電圧が書き込まれる場合を示している。
【００３３】
従って、真中の画素の表示素子に書き込まれた電圧波形７５ｂは、最初の画素の表示素子に書き込まれた電圧波形７５ａを単純に右側にシフトした波形になる。そして、最後の画素の表示素子に書き込まれた電圧波形７５ｃは、真中の画素の表示素子に書き込まれた電圧波形７５ｂを単純に右側にシフトした波形になる。
【００３４】
また、図２１において、７４は黒挿入駆動のための黒色の電圧を示し、７１は、表示データの赤色に対応する電圧を示し、赤表示期間に画素に書き込むべき赤書き込み電圧を示し、７２は、表示データの緑色に対応する電圧を示し、緑表示期間に画素に書き込むべき緑書き込み電圧を示し、７３は、表示データの青色に対応する電圧を示し、青表示期間に画素に書き込むべき青書き込み電圧を示している。
【００３５】
図２１において、Ｒ＿ＬＥＤ、Ｇ＿ＬＥＤ、Ｂ＿ＬＥＤは、それぞれバックライト１１１の赤色のＬＥＤが点灯した際のバックライト１１１の輝度、バックライト１１１の緑色のＬＥＤが点灯した際のバック以来と１１１の輝度、バックライト１１１の青色のＬＥＤが点灯した際のバックライト１１１の輝度を示すものである。Ｒ＿ＬＥＤ、Ｇ＿ＬＥＤ、Ｂ＿ＬＥＤから明らかなように、それぞれの色でバックライト１１１が点灯した際には、バックライト１１１は、一定の輝度で点灯している。
【００３６】
従来の液晶表示装置１０１は、ソースドライバ等による液晶表示パネルの駆動に連動してバックライト１１１を以下のように駆動する。
【００３７】
図２１から明らかなように、従来の液晶表示装置１０１において、１フレーム期間（または１フィールド期間）が開始され図２１に赤書き込みとして示す赤表示期間になると、最初に走査される走査線上の画素に表示データの赤色に対応する電圧が書き込み始められると同時に、バックライト１１１の光源である赤色のＬＥＤが点灯する。そして、バックライト１１１は、点灯している間は一定の輝度で点灯し続ける。
【００３８】
また、従来の液晶表示装置１０１において、図２１に緑書き込みとして示す緑表示期間が開始されると、最初に走査される走査線上の画素に表示データの緑色に対応する電圧が書き込み始められると同時に、バックライト１１１の光源である緑色のＬＥＤが点灯する。そして、バックライト１１１は、点灯している間は一定の輝度で点灯し続ける。
【００３９】
また、従来の液晶表示装置１０１において、図２１に青書き込みとして示す青表示期間が開始されると、最初に走査される走査線上の画素に表示データの青色に対応する電圧が書き込み始められると同時に、バックライト１１１の光源である青色のＬＥＤが点灯する。そして、バックライト１１１は、点灯している間は一定の輝度で点灯し続ける。
【００４０】
このように従来の液晶表示装置１０１は、各色の表示期間で、その色の表示期間が開始されるのと同時にバックライト１１１を点灯している。すなわち、従来の液晶表示装置１０１は、各色の表示期間で、前半にバックライト１１１を点灯し、後半でバックライトを消灯させる制御を行っている。すなわち、図２１において黒書き込みとして示した黒挿入期間のうちの大部分の期間には、液晶表示装置１０１は、バックライト１１１を消灯させるように制御する。そして、バックライト１１１は、点灯している間は一定の輝度で点灯し続ける。
【００４１】
従って、液晶表示装置１０１を用いることにより、高いコントラストの表示が可能になり、また消費電力を低減することが出来る。
【特許文献１】特開２００３−２８０６１７号公報
【特許文献２】特開２００５−１９１００６号公報
【発明の開示】
【発明が解決しようとする課題】
【００４２】
しかしながら、従来の液晶表示装置１０１は、黒挿入駆動とフィールドシーケンシャル駆動とを組み合わせた動作を行う。
【００４３】
従って、黒挿入駆動もフィールドシーケンシャル駆動も行わない通常の液晶表示装置が１フレーム期間（または１フィールド期間）に１フレーム分（または１フィールド分）の映像を液晶表示パネルに表示するのに対して、従来の液晶表示装置１０１は、１フレーム期間（または１フィールド期間）に、液晶表示パネル１０に、映像のうち赤色成分、黒色、映像のうち緑色成分、黒色、映像のうち青色成分、黒色の順にそれらを液晶表示パネルに表示する必要がある。従って、液晶表示装置１０１は、通常の液晶表示装置に比べてより高速に駆動しなければならない。
【００４４】
このため、図２１に示すように、画素の表示素子に書き込まれた電圧が、ソース信号線に印加された電圧に到達するまで十分立ち上がっていないうちにバックライトブロック１１１が点灯することになる。
【００４５】
また、図２１よりも、バックライト１１１の点灯期間を長くした場合には、黒挿入期間になって黒色に対応する電圧が画素の液晶表示素子に印加され、画素の液晶表示素子に印加された電圧が表示色に対応する電圧から離脱している際にもバックライト１１１が点灯しているという事態も起こり得る。
【００４６】
そして、バックライト１１１は、点灯期間には、常に一定の輝度で点灯し続ける。従って、バックライト１１１は、図２１に示すように、点灯期間には、画素の表示素子に書き込まれた電圧が立ち上がっていく期間または立ち下っていく期間と、画素の表示素子に書き込まれた電圧が十分立ち上がっている期間とで同じ輝度で点灯している。
【００４７】
このため、従来の液晶表示装置においては、コントラストが低下したり、動画応答性が低下するという課題がある。
【００４８】
また、このため、従来の液晶表示装置においては、消費電力を少なくすることが出来ないという課題がある。
【００４９】
なお、このような課題は、従来の液晶表示装置１０１のように、黒挿入駆動とフィールドシーケンシャル駆動とを組み合わせた動作を行う場合に典型的に発生するが、これに限らない。
【００５０】
すなわち、フィールドシーケンシャル駆動を行わない従来の液晶表示装置や、フィールドシーケンシャル駆動も黒挿入駆動も行わない従来の液晶表示装置に関しても発生していた。例えば、液晶表示装置の液晶表示パネルの画素数が多い場合や、液晶表示装置の液晶表示パネルの温度が低下した場合などにも発生し得る。
【００５１】
本発明は、上記課題を考慮し、コントラストの低下を抑制することが出来る液晶表示装置、液晶表示装置の駆動方法、プログラム、及び記録媒体を提供することを目的とするものである。
【００５２】
また、本発明は、上記課題を考慮し、動画応答性の低下を抑制することが出来る液晶表示装置、液晶表示装置の駆動方法、プログラム、及び記録媒体を提供することを目的とするものである。
【００５３】
また、本発明は、上記課題を考慮し、消費電力を少なくすることが出来る液晶表示装置、液晶表示装置の駆動方法、プログラム、及び記録媒体を提供することを目的とするものである。
【課題を解決するための手段】
【００５４】
上述した課題を解決するために、第１の本発明は、マトリクス状に形成された信号線及び走査線と、前記信号線及び走査線の交点に対応して形成された液晶表示素子とを有する液晶表示パネルと、
前記液晶表示パネルの信号線に表示用データに対応する印加電圧を印加するソースドライバと、
連続的または段階的に輝度の増減が可能であり、前記液晶表示パネルを照明するバックライトと、
前記バックライトの所定の点灯期間において、前記信号線を介して前記印加電圧が前記液晶表示素子に書き込まれた電圧である書き込み電圧に基づいて、前記バックライトの輝度を制御するバックライト制御部とを備えた、液晶表示装置である。
【００５５】
また、第２の本発明は、前記液晶表示パネルは、前記液晶表示素子毎に蓄積容量を有し、
前記書き込み電圧とは、前記信号線を介して前記蓄積容量に保持された前記印加電圧が前記液晶表示素子に書き込まれた電圧である、第１の本発明の液晶表示装置である。
【００５６】
また、第３の本発明は、前記書き込み電圧に、前記バックライトの輝度を対応付けるバックライト輝度情報を予め記憶している記憶部を備え、
前記バックライト制御部は、前記バックライト輝度情報を利用して前記バックライトの輝度を制御する、第１の本発明の液晶表示装置である。
【００５７】
また、第４の本発明は、前記液晶表示パネルの温度を検出する温度センサを備え、
前記記憶部は、検出された前記温度に応じた、複数とおりの前記バックライト輝度情報を記憶しており、
前記バックライト制御部は、複数とおりの前記バックライト輝度情報のうち検出された前記温度に応じた前記バックライト輝度情報を利用して前記バックライトの輝度を制御する、第３の本発明の液晶表示装置である。
【００５８】
また、第５の本発明は、前記書き込み電圧に基づいて、前記バックライトの輝度を制御するとは、前記書き込み電圧の前記印加電圧に対する比率に応じた輝度に、前記バックライトの輝度を設定することである、第１の本発明の液晶表示装置である。
【００５９】
また、第６の本発明は、前記液晶表示素子に書き込まれた電圧が前記印加電圧に到達する場合、前記書き込み電圧とは、（１）１フレーム期間または１フィールド期間の最初に走査される走査線上に存在する前記液晶表示素子に書き込まれた電圧と、（２）前記１フレーム期間または前記１フィールド期間の最後に走査される走査線上に存在する前記液晶表示素子に書き込まれた電圧とである、第１の本発明の液晶表示装置である。
【００６０】
また、第７の本発明は、前記液晶表示素子に書き込まれた電圧が前記印加電圧に到達しない場合、前記書き込み電圧とは、前記液晶表示パネルの中央に位置する前記走査線上に存在する前記液晶表示素子の前記書き込み電圧である、第１の本発明の液晶表示装置である。
【００６１】
また、第８の本発明は、前記バックライト制御部は、前記バックライトに供給するＰＷＭ信号のデューティを設定することにより、前記バックライトの輝度を制御する、第１の本発明の液晶表示装置である。
【００６２】
また、第９の本発明は、前記バックライト制御部は、前記バックライトに供給する電圧を制御することにより、前記バックライトの輝度を制御する、第１の本発明の液晶表示装置である。
【００６３】
また、第１０の本発明は、前記バックライト制御部は、前記バックライトに供給する電流を制御することにより、前記バックライトの輝度を制御する、第１の本発明の液晶表示装置である。
【００６４】
また、第１１の本発明は、マトリクス状に形成された信号線及び走査線と、前記信号線及び走査線の交点に対応して形成された液晶表示素子を有する液晶表示パネルと、
前記液晶表示パネルの信号線に表示用データに対応する印加電圧を印加するソースドライバと、
連続的または段階的に輝度の増減が可能であり、前記液晶表示パネルを照明するバックライトとを備えた液晶表示装置を駆動する液晶表示装置の駆動方法であって、
前記信号線を介して前記印加電圧が前記液晶表示素子に書き込まれた電圧である書き込み電圧に基づいて、前記バックライトの輝度を制御するバックライト制御ステップを備えた、液晶表示装置の駆動方法である。
【００６５】
また、第１２の本発明は、第１１の本発明の液晶表示装置の駆動方法の、前記信号線を介して前記印加電圧が前記液晶表示素子に書き込まれた電圧である書き込み電圧に基づいて、前記バックライトの輝度を制御するバックライト制御ステップをコンピュータに実行させるためのプログラムである。
【００６６】
また、第１３の本発明は、第１２の本発明のプログラムを記録した記録媒体であって、コンピュータにより処理可能な記録媒体である。
【発明を実施するための最良の形態】
【００６７】
以下に、本発明の実施の形態を図面を参照して説明する。
【００６８】
（第１の実施の形態）
第１の実施の形態では、本発明の液晶表示装置の一実施の形態である液晶表示装置について説明するとともに、本発明の液晶表示装置の駆動方法の一実施の形態についても説明する。
【００６９】
図１に、第１の実施の形態の液晶表示装置１のブロック図を示す。
【００７０】
第１の実施の形態の液晶表示装置１は、従来の液晶表示装置１０１と同様に、フィールドシーケンシャル方式の液晶表示装置であって、黒挿入駆動を行う液晶表示装置である。
【００７１】
第１の実施の形態の液晶表示装置１は、液晶表示パネル１０、バックライト１１、ソースドライバ２、ゲートドライバ３、コントローラ４、フレームメモリ２２、入力電源１６、液晶駆動電圧発生回路１７、調光部１８、バックライト制御部１９、及び光センサ部２６を備えている。
【００７２】
液晶表示パネル１０は、アクティブマトリクス方式の液晶表示パネルである。すなわち、液晶表示パネル１０は、アレイ基板上に、信号線と走査線とがマトリックス状に配置され、それらの交点毎に画素が形成されている。そして各画素は、スイッチング素子、蓄積容量、及び表示素子を有している。さらに、表示素子は、画素電極、対向電極、及び画素電極と対向電極とで狭持された液晶層等から構成される。そして、この液晶層としてＯＣＢモード液晶が用いられている。また、液晶表示装置１はフィールドシーケンシャル方式であるので、液晶表示パネル１０の対向基板には、赤色、緑色、及び青色のカラーフィルタは形成されていない。
【００７３】
入力電源１６は、バックライト１１、コントローラ４、液晶駆動電圧発生回路１７、及び調光部１８等に電力を供給するものである。
【００７４】
液晶駆動電圧発生回路１７は、ソースドライバ２およびゲートドライバ３に供給する電圧を調整する回路である。
【００７５】
ゲートドライバ３は、液晶表示パネル１０の走査線にゲート信号を供給する回路である。
【００７６】
ソースドライバ２は、表示期間のうち各色（Ｒ、Ｇ、Ｂ）の表示期間に、表示用信号の各色に対応する電圧を供給し、黒挿入期間には黒色に対応する電圧を、液晶表示パネル１０の信号線に供給する回路である。
【００７７】
コントローラ４は、信号処理部２１、及びタイミング制御部２３を備えており、ソースドライバ２は、Ｄ／Ａ変換部２４およびシフトレジスタ２５を備えている。
【００７８】
調光部１８は、光センサ部２６によって検知されたバックライト１１の各色（Ｒ、Ｇ、Ｂ）の輝度に基づいて、バックライト１１の各色（Ｒ、Ｇ、Ｂ）のＬＥＤの点灯期間の、各色の表示期間（赤表示期間、緑表示期間期間、青表示期間）に対する比率を調整することにより、バックライトの輝度及び／または色度を調光する回路である。
【００７９】
バックライト１１は、液晶表示パネル１０の背面に配置されており、光源であるＲ（Ｒｅｄ）、Ｇ（Ｇｒｅｅｎ）、Ｂ（Ｂｌｕｅ）の各色の光を発光するＬＥＤや、ＬＥＤから射出された光を液晶表示パネル１０に導く導光板等が設けられている。
【００８０】
そして、バックライト１１には、Ｒ、Ｇ、Ｂの各色の輝度を検知する光センサ部２６が配置されている。
【００８１】
また、バックライト１１は、アクティブマトリクス方式の液晶表示パネル１０の背面に配置されており、複数のバックライトブロックに分割されており、各バックライトブロックにはそれぞれ光源である赤色のＬＥＤ、緑色のＬＥＤ、青色のＬＥＤ及び導光板が設けられている。
【００８２】
図２（ａ）及び図２（ｂ）に、バックライト１１の概要を示す。図２（ａ）は、液晶表示パネル１０の表示面と直交する方向から見たバックライト１１の平面図であり、図２（ｂ）は、バックライト１１の側面図である。
【００８３】
図２（ａ）及び図２（ｂ）に示すように、バックライト１１は、複数のバックライトブロック１５ａ〜１５ｅに分割されている。そして、これら複数のバックライトブロック１５ａ〜１５ｅのそれぞれには、光源であるＬＥＤ１３ａ〜１３ｅ、ＬＥＤ１４ａ〜１４ｅがそれぞれ配置されている。ここで、ＬＥＤ１３ａ〜１３ｅ、ＬＥＤ１４ａ〜１４ｅは、それぞれ赤色のＬＥＤ、緑色のＬＥＤ、青色のＬＥＤから構成されている。
【００８４】
複数のバックライトブロック１５ａ〜１５ｅのそれぞれには、さらに、導光板１２ａ〜１２ｅがそれぞれ配置されている。それぞれのバックライトブロック１５ａ〜１５ｅは、そのバックライトブロックが対向している液晶表示パネル１０の表示領域の部分を主に照明するものである。
【００８５】
そして、各バックライトブロック１５ａ〜１５ｅには、光センサ部１６ａ〜１６ｅ（図１及び図３の光センサ部２６に相当する）が設けられている。
【００８６】
図４（ａ）及び図４（ｂ）に光センサ部１５ａ〜１５ｅの一例を示す。図４（ａ）は、光センサ部１５ａ〜１５ｅのいずれか一つの光センサ部の平面図であり、図４（ｂ）は、光センサ部１５ａ〜１５ｅのいずれか一つの光センサ部の側面図である。図４（ａ）、図４（ｂ）に示すように、光センサ部１５ａ〜１５ｅは、それぞれ、基板３７上に三つの光検出素子３６ａ、３６ｂ、３６ｃが形成されており、光検出素子３６ａ、３６ｂ、３６ｃ上にカラーフィルタ３５ａ、３５ｂ、３５ｃが形成されている。カラーフィルタ３５ａ、３５ｂ、３５ｃは、それぞれ、３原色である赤色、緑色、青色の光を透過するカラーフィルタである。光検出素子３６ａ、３６ｂ、３６ｃ及びカラーフィルタ３５ａ、３５ｂ、３５ｃは、ガラス等の透明カバー３８で覆われている。
【００８７】
バックライト制御部１９は、調光部１８が決定した各色（Ｒ、Ｇ、Ｂ）の点灯比率になるように、タイミング制御部２３から送られてくるバックライト制御信号（クロック信号、水平同期信号、垂直同期信号等）を利用して、ＬＥＤ１３ａ〜１３ｅ、ＬＥＤ１４ａ〜ＬＥＤ１４ｅそれぞれの点灯開始時期及び点灯終了時期を決定し、その決定した点灯開始時期にそれぞれのＬＥＤ１３ａ〜１３ｅ、ＬＥＤ１４ａ〜１４ｅを点灯させ、その決定した点灯終了時期にそれぞれのＬＥＤ１３ａ〜１３ｅ、ＬＥＤ１４ａ〜１４ｅを消灯させるものである。
【００８８】
すなわち、バックライト制御部１９は、ソースドライバ２等による液晶表示パネル１０の駆動のタイミングに連動して、複数個のバックライトブロック１５ａ〜１５ｅのＬＥＤ１３ａ〜１３ｅ、１４ａ〜１４ｅの点灯消灯を制御するものである。さらにバックライト制御部１９は、複数個のバックライトブロック１５ａ〜１５ｅのうち、点灯させたバックライトブロックについては、その輝度をも制御するものである。
【００８９】
調光部１８は、光センサ部２６によって検知された各バックライトブロック１５ａ〜１５ｅの各色（Ｒ、Ｇ、Ｂ）の輝度に基づいて、各バックライトブロック１５ａ〜１５ｅの各色（Ｒ、Ｇ、Ｂ）のＬＥＤ１３ａ〜１３ｅ、１４ａ〜１４ｅについて、各色の表示期間に対するその色のＬＥＤの点灯期間の比率を調整することにより、バックライトの輝度及び／または色度を調光する回路である。
【００９０】
なお、それぞれの色の表示期間に対するその色のＬＥＤ１３ａ〜１３ｅ、１４ａ〜１４ｅの点灯期間の比率をその色の点灯比率と呼ぶことにする。
【００９１】
図３は、図１の液晶表示装置１のうち、調光部１８やバックライト制御部１９、バックライト１１などの照明系の詳細を示す図である。
【００９２】
調光部１８は、調光制御部３３、基準値記憶部４０、及び点灯比率記憶部４４を備えている。
【００９３】
基準値記憶部４０は、基準となる輝度及び／または色度を予め記録している半導体メモリである。
【００９４】
調光制御部３３は、各光センサ部１６ａ〜１６ｅから送られてくる各バックライトブロック１５ａ〜１５ｅの各色の輝度の検知結果に基づいて、各バックライトブロック１５ａ〜１５ｅが基準値記憶部４０に記憶されている基準となる輝度及び／または色度に一致するように、各バックライトブロック１５ａ〜１５ｅの各ＬＥＤ１３ａ〜１３ｅ、１４ａ〜１４ｅの各色の点灯比率を決定し、点灯比率記憶部４４に記憶させる回路である。
【００９５】
点灯比率記憶部４４は、各バックライトブロック１５ａ〜１５ｅ毎のＬＥＤ１３ａ〜１３ｅ、１４ａ〜１４ｅの各色の点灯比率を記憶する半導体メモリである。
【００９６】
また、バックライト制御部１９は、解析結果記憶部４５、演算部４６、時期記憶部４７、輝度テーブル記憶部４８を備えている。
【００９７】
解析結果記憶部４５は、画素の表示素子に書き込まれる電圧波形を解析することによって得られる各種の時間を記憶する半導体メモリである。
【００９８】
演算部４６は、解析結果記憶部４５に記憶されている各種の時間に関する情報に基づいて、各バックライトブロック１５ａ〜１５ｅの点灯開始時期及び点灯終了時期を決定し、決定した点灯開始時期及び点灯終了時期を時期記憶部４７に記憶させるものである。
【００９９】
時期記憶部４７は、決定された各バックライトブロック１５ａ〜１５ｅの点灯開始時期及び点灯終了時期を記憶する半導体メモリである。
【０１００】
輝度テーブル記憶部４８は、各色の表示期間の開始時から経過した時間から、バックライトブロック１５ａ〜１５ｅのＬＥＤ１３ａ〜１３ｅ、１４ａ〜１４ｅの各色の輝度を求めるための輝度テーブルを記憶する半導体メモリである。
【０１０１】
なお、本実施の形態の輝度テーブルは、本発明のバックライト輝度情報の一例である。
【０１０２】
次に、このような第１の実施の形態の液晶表示装置１の動作を説明するととともに、本発明の液晶表示装置の駆動方法の一実施の形態についても説明する。
【０１０３】
液晶表示装置１の電源が入れられた際、液晶表示装置１は、背景技術で説明した従来の液晶表示装置１０１と同様に転移駆動を行う。
【０１０４】
転移駆動が完了し、液晶表示装置１の表示動作が可能になると、液晶表示装置１は表示動作を開始する。
【０１０５】
１フレーム期間（または１フィールド期間）には、赤表示期間、黒挿入期間、緑表示期間、黒挿入期間、青表示期間、及び黒挿入期間がこの順に設けられている。
【０１０６】
図５に映像信号が書き込まれる画素の等価回路を画素８２として示す。図５において、画素８２は、スイッチング素子であるＴＦＴ８３、蓄積容量８４、及び表示素子８５から構成される。そして、表示素子８５は、画素電極、画素電極に対向する対向電極の部分、及び画素電極と対向電極との間に狭持された液晶層とから構成されている。
【０１０７】
ゲートドライバ３は、各走査線に順次走査電圧を印加し、走査電圧が印加されるとその走査線に配列されている各画素８２のスイッチング素子（ＴＦＴ）８３がオン状態になる。そのタイミングに合わせてソースドライバ２は、各信号線を通じてその走査線上に配列されている各画素８２に表示用データの各色に対応する電圧または黒色に対応する電圧を書き込む。
【０１０８】
これにより、各画素の蓄積容量８４に表示用データの各色に対応する電圧または黒色に対応する電圧が書き込まれて保持されるとともに、液晶表示素子８５に、表示用データの各色に対応する電圧または黒色に対応する電圧が書き込まれる。
【０１０９】
スイッチング素子（ＴＦＴ）８３がオン状態からオフ状態になった後も、表示素子８５には、蓄積容量８４が保持している映像信号に応じた電圧または黒色に対応する電圧が書き込まれていく。そして、表示素子８６に書き込まれる電圧は比較的緩やかに変化して、蓄積容量８４に保持されている映像信号に応じた電圧に到達する。
【０１１０】
これにより液晶表示パネル１０の液晶分子６２（図１９（ａ）、図１９（ｂ））が変調され、バックライト１１から出射される光の透過率が変化する。その結果、映像信号に対応する画像が液晶表示パネル１０に表示される。なお、表示素子８６に書き込まれる電圧の波形等の詳細については、後述する。
【０１１１】
次にバックライト１１等の照明系の動作を説明する。
【０１１２】
なお、バックライト１１等の照明系の動作については、バックライト１１を構成するバックライトブロック１５ａに着目して説明するが、バックライトブロック１５ｂ〜１５ｅについてもバックライトブロック１５ａと同様の動作をを行うので、バックライトブロック１５ｂ〜１５ｅの動作については説明を省略する。
【０１１３】
図６にバックライトブロック１５ａと、バックライトブロック１５ａに対向する液晶表示パネル１０の表示領域の部分との関係を示す。図６において、矢印（走査方向）で示すように、走査線７６は紙面の上から下に向かって順次走査電圧が印加される。
【０１１４】
従って、最初の走査線７７ａとして示す走査線が、バックライトブロック１５ａに対向する液晶表示パネル１０の表示領域の部分で最初に走査される。また、最後の走査線７７ｃとして示す走査線が、バックライトブロック１５ａに対向する液晶表示パネル１０の表示領域の部分で最後に走査される。そして、真中の走査線７７ｂとして示す走査線は、最初の走査線７７ａと最後の走査線７７ｃとの中間に位置しており、最初の走査線７７ａが走査される時期と最後の走査線７７ｃが走査される時期との中間の時期に走査される。
【０１１５】
また、図６において、最初の画素７８ａは、最初の走査線７７ａ上に存在する任意の特定の画素であり、真中の画素７８ｂは、真中の走査線７７ｂ上に存在する任意の特定の画素であり、最後の画素７８ｃは、最後の走査線７７ｃ上に存在する任意の特定の画素である。最初の画素７８ａ、真中の画素７８ｂ、及び最後の画素７８ｃは、それぞれ、図５で説明した画素８２と同様の構成を有している。
【０１１６】
図７は、図６に示した最初の画素７８ａ、真中の画素７８ｂ、及び最後の画素７８ｃの各表示素子に書き込まれた電圧波形と、バックライトブロック１５ａの各色のＬＥＤの点灯消灯状態を示すタイミングチャート図である。図７において、紙面に向かって左側から右側に向かって時間が経過して行く。
【０１１７】
７５ａは、最初の画素７８ａの表示素子に書き込まれた電圧波形である。
【０１１８】
７５ｂは、真中の画素７８ｂの表示素子に書き込まれた電圧波形である。
【０１１９】
７５ｃは、最後の画素７８ｃの表示素子に書き込まれた電圧波形である。
【０１２０】
また、図７において、Ｒ＿ＬＥＤ、Ｇ＿ＬＥＤ、Ｂ＿ＬＥＤは、バックライトブロック１５ａの光源であるＬＥＤ１３ａ、１４ａのうち赤色のＬＥＤ、緑色のＬＥＤ、青色のＬＥＤの点灯消灯状態及び輝度をそれぞれ示すものである。
【０１２１】
また、図７において、７４は黒挿入駆動のための黒色の電圧を示し、７１は、表示データの赤色に対応する電圧を示し、赤表示期間に画素に書き込むべき赤書き込み電圧を示し、７２は、表示データの緑色に対応する電圧を示し、緑表示期間に画素７８の表示素子に書き込むべき緑書き込み電圧を示し、７４は、表示データの青色に対応する電圧を示し、青表示期間に画素７８の表示素子に書き込むべき青書き込み電圧を示している。
【０１２２】
なお、図７において、理解を容易にするために、最初の画素７８ａ、真中の画素７８ｂ、最後の画素７８ｃが全て同じ色を表示する場合を示している。
【０１２３】
また、図７は、バックライトブロック１５ａの各色のＬＥＤの点灯比率が全て７０パーセントになるように、調光部１８が決定した場合である。すなわち、調光部１８の点灯比率記憶部４４には、バックライト１５ａのＬＥＤ１３ａ、１４ａの各色のＬＥＤの点灯比率が７０パーセントであるという情報が記憶されている。
【０１２４】
バックライト制御部１９は、調光部１８の点灯比率記憶部４４からこの情報を読み出し、さらに、解析結果記憶部４５に記憶されている情報を読み出す。
【０１２５】
図８（ａ）に解析結果記憶部４５に記憶されている情報を示す。
【０１２６】
最後の画素書き込み電圧到達時間４５ａは、各色の表示期間が開始されてから最後の画素７８ｃの表示素子に書き込まれた電圧が、表示用データの各色に対応する電圧に到達するまでの時間を示している。
【０１２７】
最初の画素書き込み電圧離脱時間４５ｂは、各色の表示期間が開始されてから最初の画素７８ａの表示素子に書き込まれた電圧が、表示用データの各色に対応する電圧から離脱するまでの時間を示している。
【０１２８】
最後の画素黒挿入電圧到達時間４５ｃは、各色の表示期間が開始されてから、最後の画素７８ｃの表示素子に書き込まれた電圧が、黒挿入のための黒色に対応する電圧に到達するまでの時間を示している。
【０１２９】
第１の実施の形態では、実際に、最初の画素７８ａの表示素子、真中の画素７８ｂの表示素子、最後の画素７８ｃの表示素子のそれぞれに書き込まれた電圧波形７５ａ、７５ｂ、７５ｃをテスターにて計測し、計測した電圧波形７５ａ、７５ｃを解析することにより、図８（ａ）に示す最後の画素書き込み電圧到達時間４５ａ、最初の画素書き込み電圧離脱時間４５ｂ、最後の画素黒挿入電圧到達時間４５ｃを求めた。そして、求めた最後の画素書き込み電圧到達時間４５ａ、最初の画素書き込み電圧離脱時間４５ｂ、最後の画素黒挿入電圧到達時間４５ｃを、図８（ａ）に示すように、解析結果記憶部４５に予め記憶させておいた。
【０１３０】
そして、演算部４６は、コントローラ４から送られてくるバックライト制御信号（クロック信号、水平同期信号、垂直同期信号等）を利用して、最後の画素書き込み電圧到達時間４５ａ、最初の画素書き込み電圧離脱時間４５ｂ、最後の画素黒挿入電圧到達時間４５ｃを用いて、演算により、バックライトブロック１５ａのＬＥＤ１３ａ、１４ａのうちの赤色のＬＥＤ、緑色のＬＥＤ、青色のＬＥＤそれぞれの点灯開始時期及び点灯終了時期を決定して、時期記憶部４７に記憶させる。なお、演算部４６による上記の点灯開始時期及び点灯終了時期の求め方については後述する。
【０１３１】
図８（ｂ）に時期記憶部４７に記憶されたバックライトブロック１５ａのＬＥＤ１３ａ、１４ａのうちの赤色のＬＥＤ、緑色のＬＥＤ、青色のＬＥＤそれぞれの点灯開始時期及び点灯終了時期を示す。
【０１３２】
図８（ｂ）において、赤色のＬＥＤ点灯開始時期４７ａ及び赤色ＬＥＤ点灯終了時期４７ｂは、バックライトブロック１５ａのＬＥＤ１３ａ、１４ａのうちの赤色のＬＥＤの点灯開始時期及び点灯終了時期をそれぞれ示している。また、図８（ｂ）において、緑色のＬＥＤ点灯開始時期４７ｃ及び緑色のＬＥＤ点灯終了時期４７ｄは、バックライトブロック１５ａのＬＥＤ１３ａ、１４ａのうちの緑色のＬＥＤの点灯開始時期及び点灯終了時期をそれぞれ示している。また、図８（ｂ）において、青色のＬＥＤ点灯開始時期４７ｅ及び青色ＬＥＤ点灯終了時期４７ｆは、バックライトブロック１５ａのＬＥＤ１３ａ、１４ａのうちの青色のＬＥＤの点灯開始時期及び点灯終了時期をそれぞれ示している。
【０１３３】
バックライト制御部１９は、時期が、時期記憶部４７に記憶されている赤色のＬＥＤ点灯開始時期４７ａになったタイミングで、バックライトブロック１５ａのＬＥＤ１３ａ、１４ａのうちの赤色のＬＥＤを点灯させる。そして、時期が、時期記憶部４７に記憶されている赤色のＬＥＤ点灯終了時期４７ｂになったタイミングで、バックライトブロック１５ａのＬＥＤ１３ａ、１４ａのうちの赤色のＬＥＤを消灯させる。バックライト制御部１９は、バックライトブロック１５ａのＬＥＤ１３ａ、１４ａのうちの緑色のＬＥＤ及び青色のＬＥＤについても同様の制御を行う。
【０１３４】
さらに、バックライト制御部１９は、バックライトブロック１５ａのＬＥＤ１３ａ、１４ａを点灯させる場合、バックライトブロック１５ａの輝度も制御する。すなわち、バックライト制御部１９は、バックライトブロック１５ａのＬＥＤ１３ａ、１４ａを点灯させる場合には、各色の表示期間の開始時から経過した時間におけるバックライトブロック１５ａの輝度を、輝度テーブル記憶部４８に記憶されている輝度テーブルを利用して決定する。そして、決定した輝度でバックライトブロック１５ａが点灯するようにバックライトブロック１５ａを制御する。
【０１３５】
図８（ｃ）に輝度テーブル記憶部４８に記憶されている輝度テーブルの概念図を示す。図８（ｃ）の横軸は、各色の表示期間の開始時期からの時間を示し、縦軸は、バックライトブロック１５ａの輝度に対応している。すなわち、縦軸は、バックライトブロック１５ａが最大の輝度で点灯する場合を１で示し、バックライトブロック１５ａが消灯する場合を０で示し、バックライトブロック１５ａの中間の輝度を０から１までの数値で示している。すなわち、輝度テーブル記憶部４８に記憶されている輝度テーブルとは、各色の表示期間の開始時期からの時間に、その時間におけるバックライトブロック１５ａの輝度を０から１までの数値として表したテーブルである。
【０１３６】
従って、各色の表示期間の開始時期から経過した時間におけるバックライトブロック１５ａの輝度は、輝度テーブル記憶部４８に記憶されている輝度テーブルから、その時間に対応付けられた０から１までの数値を取得し、バックライトブロック１５ａの最大輝度にその数値を掛け算することにより求めることが出来る。なお、輝度テーブル記憶部４８に記憶されている輝度テーブルの求め方については後述する。
【０１３７】
バックライト制御部１９がこのような制御を行うことにより、図７において、バックライトブロック１５ａの光源であるＬＥＤ１３ａ、１４ａのうち赤色のＬＥＤ、緑色のＬＥＤ、青色のＬＥＤの点灯消灯状態は、それぞれ、Ｒ＿ＬＥＤ、Ｇ＿ＬＥＤ、Ｂ＿ＬＥＤのようになる。
【０１３８】
なお、図７においては、Ｒ＿ＬＥＤ、Ｇ＿ＬＥＤ、Ｂ＿ＬＥＤは、点灯している際の輝度が一定であるとして図示されているが、これは、バックライトブロック１５ａの点灯期間には、最初の画素７５ａ、真中の画素７５ｂ、最後の画素７５ｃのいずれの画素の表示素子に書き込まれた書き込み電圧も既に赤色に対応する電圧等の印加電圧に到達しており、バックライトブロック１５ａの点灯期間の間は、いずれの画素の表示素子に書き込まれた書き込み電圧も一定値をとるためである。
【０１３９】
例えば、図９等においては、バックライトブロック１５ａの点灯期間に、Ｒ＿ＬＥＤ、Ｇ＿ＬＥＤ、Ｂ＿ＬＥＤは、点灯している際の輝度が画素の表示素子に書き込まれた電圧に応じて変化することになる。これについては後述する。
【０１４０】
さて、上述したように、演算部４６による上記の点灯開始時期及び点灯終了時期の求め方について図７等を用いて説明する。
【０１４１】
演算部４６は、バックライトブロック１５ａのＬＥＤ１３ａ、１４ａの各色のＬＥＤの点灯比率が７０パーセントであるという情報を点灯比率記憶部４４から読み込む。次に、演算部４６は、赤表示期間に対して、点灯比率記憶部４４から読み込んだ点灯比率をかけ算することにより、バックライトブロック１５ａのＬＥＤ１３ａ、１４ａの赤色のＬＥＤの点灯期間を求める。演算部４６は、緑色及び青色についても同様の処理を行うことにより、バックライトブロック１５ａのＬＥＤ１３ａ、１４ａの緑色のＬＥＤの点灯期間及び青色のＬＥＤの点灯期間を求める。
【０１４２】
なお、本実施の形態の赤色のＬＥＤの点灯期間は、本発明の所定の点灯期間の一例であり、本実施の形態の緑色のＬＥＤの点灯期間は、本発明の所定の点灯期間の一例であり、本実施の形態の青色のＬＥＤの点灯期間は、本発明の所定の点灯期間の一例である。
【０１４３】
次に、演算部４６は、バックライト制御信号を利用して、図６に示す最初の画素７８の表示素子に実際に表示用データの赤色に対応する電圧の書き込みが開始される時期Ｔ０（図７参照）を求め、求めた時期Ｔ０に解析結果記憶部４５に記憶されている最後の画素書き込み電圧到達時間４５ａを加算する。このようにして、最後の画素７８の表示素子に書き込まれた電圧が、赤書き込み電圧７１に到達する時期Ｔ１が求まる（図７参照）。
【０１４４】
さらに、演算部４６は、図６に示す最初の画素７８ａの表示素子に実際に表示用データの赤色に対応する電圧の書き込みが開始される時期Ｔ０（図７参照）に解析結果記憶部４５に記憶されている最初の画素書き込み電圧離脱時間４５ｂを加算する。このようにして、最初の画素７８ａの表示素子に書き込まれた電圧が、赤書き込み電圧７１から離脱する時期Ｔ２（図７参照）が求まる。
【０１４５】
演算部４６は、時期Ｔ１と時期Ｔ２の真中の時間、すなわち、時期（Ｔ１＋Ｔ２）／２が、赤色のＬＥＤの点灯期間の真中に一致するように、バックライトブロック１５ａの光源であるＬＥＤ１３ａ、１４ａのうち赤色のＬＥＤの点灯開始時期及び点灯終了時期を求め、それぞれ、赤色ＬＥＤ点灯開始時期４７ａ及び赤色ＬＥＤ点灯終了時期４７ｂとして、時期記憶部４７に記憶させる。
【０１４６】
演算部４６は、バックライトブロック１５ａの光源であるＬＥＤ１３ａ、１４ａのうち緑色のＬＥＤ及び青色のＬＥＤに関しても同様の処理を行うことにより、時期記憶部４７に、緑色のＬＥＤ点灯開始時期４７ｃ、緑色のＬＥＤ点灯終了時期４７ｄ、青色のＬＥＤ点灯開始時期４７ｅ、及び青色ＬＥＤ点灯終了時期４７ｆを、時期記憶部４７に記憶させる。
【０１４７】
以上、点灯開始時期及び点灯終了時期の求め方を説明した。
【０１４８】
次に、輝度テーブル記憶部４８に記憶されている輝度テーブルの求め方について説明する。輝度テーブルは、最初の画素７８ａの表示素子に書き込まれた電圧波形７５ａ及び最後の画素７８ｃの表示素子に書き込まれた電圧波形７５ｃの両方に基づいて求める。
【０１４９】
すなわち、赤表示期間の開始時期から赤表示期間に引き続く黒挿入期間の終了時期までにおいて、赤表示期間の開始時期から赤表示期間に引き続く黒挿入期間の終了時期までにおいて、赤表示期間の開始時期から経過した各時間で、最初の画素７８ａの表示素子に書き込まれた電圧波形７５ａと、最後の画素７８ｃの表示素子に書き込まれた電圧波形７５ｃとをテスターにより予め測定しておく。このようにして赤表示期間の開始時期から赤表示期間に引き続く黒挿入期間の終了時期までの、最初の画素７８ａの表示素子に書き込まれた電圧波形７５ａと、最後の画素７８ｃの表示素子に書き込まれた電圧波形７５ｃとを得る。
【０１５０】
次に、得られた電圧波形を解析することにより輝度テーブルを作成する。上述したように、輝度テーブル記憶部４８に記憶されている輝度テーブルとは、各色の表示期間の開始時期からの時間に、その時間におけるバックライトブロック１５ａの輝度を０から１までの数値として表したテーブルである。
【０１５１】
赤表示期間の開始時期から赤表示期間に引き続く黒挿入期間の終了時期までにおいて、その前半の期間に関しては、最初の画素７８ａの表示素子に書き込まれた電圧波形７５ａに基づいて輝度テーブルを求め、その後半の期間に関しては、最後の画素７８ｃの表示素子に書き込まれた電圧波形７５ｃに基づいて輝度テーブルを求める。
【０１５２】
すなわち、赤表示期間の開始時期から赤表示期間に引き続く黒挿入期間の終了時期までの期間のうち前半の期間には、赤表示期間の開始時期から経過した各時間において、最初の画素７８ａの表示素子に書き込まれた電圧が、赤色に対応する電圧に到達している時には、その時間の輝度を１する。そして、その時間の最初の画素７８ａの表示素子に書き込まれた電圧が、黒色に対応する電圧に到達している時には、その時間の輝度を０とする。さらに、その時間の最初の画素７８ａの表示素子に書き込まれた電圧が、赤色に対応する電圧と黒色に対応する電圧との中間の電圧である場合には、書き込まれた電圧が赤色に対応する電圧に近いほど、その時間の輝度を１に近づけ、書き込まれた電圧が黒色に対応する電圧に近いほど、その時間の輝度を０に近づける。
【０１５３】
そして、赤表示期間の開始時期から赤表示期間に引き続く黒挿入期間の終了時期までの後半の期間には、赤表示期間の開始時期から経過した各時間において、最後の画素７８ｃの表示素子に書き込まれた電圧が、赤色に対応する電圧に到達している時には、その時間の輝度を１する。そして、その時間の最後の画素７８ｃの表示素子に書き込まれた電圧が、黒色に対応する電圧に到達している時には、その時間の輝度を０とする。さらに、その時間の最後の画素７８ｃの表示素子に書き込まれた電圧が、赤色に対応する電圧と黒色に対応する電圧との中間の電圧である場合には、書き込まれた電圧が赤色に対応する電圧に近いほど、その時間の輝度を１に近づけと、書き込まれた電圧が黒色に対応する電圧に近いほど、その時間の輝度を０に近づける。
【０１５４】
このような値を、赤表示期間の開始時期から赤表示期間に引き続く黒挿入期間の終了時期までの期間において、赤表示期間の開始時期から経過した各時間毎に求める。
【０１５５】
そして、赤表示期間の開始時期から赤表示期間に引き続く黒挿入期間の終了時期までにおいて、赤表示期間の開始時期から経過した時間に、上記のようにして求めた０から１までの値を対応させて、輝度テーブル記憶部４８に記憶させる。以上で、図８（ｃ）に示す輝度テーブルを求めることが出来る。
【０１５６】
図９に、バックライトブロック１５ａの光源であるＬＥＤ１３ａ、１４ａのうち赤色のＬＥＤ、緑色のＬＥＤ、青色のＬＥＤの各色の点灯期間を最も長くとった場合の、最初の画素７８ａ、真中の画素７８ｂ、及び最後の画素７６ｃの各表示素子に書き込まれた電圧波形と、バックライトブロック１５ａの各色のＬＥＤの点灯消灯状態を示すタイミングチャート図を示す。符号等については、図７と同様である。
【０１５７】
ただし、図９において、Ｒ＿ＬＥＤ、Ｇ＿ＬＥＤ、Ｂ＿ＬＥＤにおける波線は、バックライトブロック１５ａの各色のＬＥＤ１３ａ、１４ａの点灯期間を示し、実線は、Ｒ＿ＬＥＤ、Ｇ＿ＬＥＤ、Ｂ＿ＬＥＤの輝度を示す。
【０１５８】
図９において、バックライトブロック１５ａの光源であるＬＥＤ１３ａ、１４ａのうち、赤色のＬＥＤは、時期Ｔ０から時期Ｔ３まで点灯しており、緑色のＬＥＤは、時期Ｔ４から時期Ｔ７まで点灯しており、青色のＬＥＤは、時期Ｔ８からＴ１１まで点灯している。
【０１５９】
赤色の表示について説明すると、時期Ｔ３は、最初の画素７８ａの表示素子に実際に表示用データの赤色に対応する電圧の書き込みが開始される時期Ｔ０に、図８（ａ）に示す最後の画素黒挿入電圧到達時間４５ｃを加算した時期である。すなわち、時期Ｔ３は、最後の画素７８ｃの表示素子に書き込まれた電圧が黒挿入のための黒色に対応する電圧に到達する時期である。従って、時期Ｔ３以降で、最初の画素７８ａの表示素子に緑色に対応する電圧の書き込みが開始されるまでは、バックライトブロック１５ａに対向する液晶表示パネル１０の部分の全画素に黒色に対応する電圧が書き込まれている。バックライトブロック１５ａに対向する液晶表示パネル１０の部分の全画素に黒色に対応する電圧が書き込まれている時に赤色のＬＥＤを点灯させた場合、赤色のＬＥＤの消費電力を増加させるのみであり、表示には全く役立たない。さらに、画素に黒色に対応する電圧が書き込まれている際に、その画素の表示素子の透過率が完全に零ではない場合には、コントラストを低下させる原因にもなる。
【０１６０】
同様の理由で、時期Ｔ０より過去に赤色のＬＥＤを点灯させた場合も、赤色のＬＥＤの消費電力を増加させ、また、コントラストを低下させる原因にもなる。
【０１６１】
従って、調光制御部３３が赤色のＬＥＤの点灯比率を増加させた場合の上限として、図９の赤色のＬＥＤの点灯期間の範囲（時期Ｔ０から時期Ｔ３までの期間）からはみ出さないようにした。
【０１６２】
さらに、Ｒ＿ＬＥＤについては、時期Ｔ０から最初の画素７５ａの表示素子に書き込まれた電圧が赤色に対応する電圧に到達するまでの間では、バックライトブロック１５ａの輝度は、時間の経過につれて連続的に増加していく。そして、時期Ｔ０から最初の画素７５ａの表示素子に書き込まれた電圧が赤色に対応する電圧に到達した後は、バックライトブロック１５ａの輝度は、一定値をとる。そして、最後の画素７５ｃの表示素子に書き込まれた電圧が赤色に対応する電圧から離脱する時期から時期Ｔ３までの間では、バックライトブロック１５ａの輝度は、時間の経過につれて連続的に減少していく。Ｇ＿ＬＥＤ、Ｂ＿ＬＥＤについても同様である。
【０１６３】
このような動作は、次のようにして実現することが出来る。
【０１６４】
すなわち、演算部４６が、赤色のＬＥＤ点灯開始時期４７ａを上記で説明した動作により決定した際、赤色のＬＥＤ点灯開始時期４７ａが時期Ｔ０より過去の時期になった場合には、赤色のＬＥＤ点灯開始時期４７ａを時期Ｔ０に一致させるようにする。また、演算部４６が、赤色のＬＥＤ点灯終了時期４７ｂを上記で説明した動作により決定した際、赤色のＬＥＤ点灯終了時期４７ｂが、時期Ｔ３より未来の時期になった場合には、赤色のＬＥＤ点灯終了時期４７ｂを時期Ｔ３に一致させるようにする。
【０１６５】
緑色の表示についても、赤色の表示と同様の処理を行うことにより、図９の緑色のＬＥＤの点灯期間の範囲（時期Ｔ４から時期Ｔ７までの範囲）から、緑色のＬＥＤの点灯期間がはみ出さないようにすることが出来る。また、青色の表示についても、赤色の表示と同様の処理を行うことにより、図９の青色のＬＥＤの点灯期間の範囲（時期Ｔ８から時期Ｔ１１までの範囲）から、青色のＬＥＤの点灯期間がはみ出さないようにすることが出来る。
【０１６６】
そして、バックライトブロック１５ａの赤色のＬＥＤの点灯期間である時期Ｔ０から時期Ｔ３までの期間において、バックライト制御部１９が、上述した輝度テーブル記憶部４８に記憶されている輝度テーブルを用いてバックライトブロック１５ａの輝度を求め、求めた輝度に一致するようにバックライト制御部１９がバックライトブロック１５ａの輝度を制御することにより、図９のＲ＿ＬＥＤに示すような輝度の波形が得られる。バックライトブロック１５ａの緑色のＬＥＤ、青色のＬＥＤも同様にすることにより、それぞれ図９のＧ＿ＬＥＤ、Ｂ＿ＬＥＤに示すような輝度の波形が得られる。
【０１６７】
また、図１０に、バックライトブロック１５ａの光源であるＬＥＤ１３ａ、１４ａのうち赤色のＬＥＤ、緑色のＬＥＤ、青色のＬＥＤの各色の点灯期間を最も短くした場合の、最初の画素７８ａ、真中の画素７８ｂ、及び最後の画素７８ｃの各表示素子に書き込まれた電圧波形と、バックライトブロック１５ａの各色のＬＥＤの点灯消灯状態を示すタイミングチャート図である。符号等については、図７と同様である。
【０１６８】
図１０において、バックライトブロック１５ａの光源であるＬＥＤ１３ａ、１４ａのうち、赤色のＬＥＤは、時期Ｔ１から時期Ｔ２まで点灯しており、緑色のＬＥＤは、時期Ｔ５から時期Ｔ７まで点灯しており、青色のＬＥＤは、時期Ｔ９からＴ１０まで点灯している。各色の点灯比率を設定することにより、図１０の各色のＬＥＤの点灯消灯状態を実現することが出来る。図１０は、輝度差が生じない範囲で各色のＬＥＤの点灯期間を最も長くして輝度の低下を極力抑えた例である。第１の実施の形態では、各色の点灯比率を、図１０の各色のＬＥＤの点灯期間より小さくならないように設定することとしている。
【０１６９】
もちろん、ＣＲＴのようなインパルス的な表示に近づけて動画視認性を向上るために、図１０の各色のＬＥＤの点灯期間になるような点灯比率よりもさらに点灯比率を小さくしても構わない。
【０１７０】
以上、演算部４６による上記の点灯開始時期及び点灯終了時期の求め方について説明した。
【０１７１】
調光部１８は、バックライトブロック１５ａに関して、光センサ部２６を構成する光センサ部１６ａ（図２参照）で検知された赤色の輝度、緑色の輝度、青色の輝度を用いて、基準値記憶部４０に記憶されている基準となる輝度及び／または色度に、バックライトブロック１５ａの各色のＬＥＤが一致するように、点灯比率を決定し、点灯比率記憶部４４に記憶させる。
【０１７２】
このように調光部１８が調光して決定した点灯比率を用いて、上述した演算部４６が各色のＬＥＤの点灯開始時期及び点灯終了時期を決定することにより、バックライトブロック１５ａを、基準値記憶部４０に記憶されている基準となる輝度及び／または色度に一致するように調光することが出来る。
【０１７３】
さらに、上記で説明したのと同様の処理をバックライトブロック１５ｂ〜１５ｅについても行うことにより、バックライトブロック１５ａ〜１５ｅ間の輝度差や色度差を補正することが出来る。これにより、最適なホワイトバランスを保つことが出来、ＬＥＤなどの光源のばらつきや温度変化時の色ずれを抑えることが出来る。
【０１７４】
さらに、図７において、基準値記憶部４０に記憶されている輝度を増加させることによって、点灯比率記憶部４４に記憶されている点灯比率は、増加する。このようにして、点灯比率記憶部４４に記憶されている点灯比率を増加させて図９に示す各ＬＥＤの点灯期間に近づけていくと、コントラストは低下していき、各色のＬＥＤの点灯期間が増加するので輝度は増加していき、また、場所における輝度差が大きくなっていく。従って、第１の実施の形態の液晶表示装置１は、点灯比率を増加させることによって各色のＬＥＤの点灯期間を増加させて、図９に示す各ＬＥＤの点灯期間に近づけていくと、バックライトの点灯期間と輝度に見合っただけの高輝度の表示が可能となる。
【０１７５】
また、図７において、基準値記憶部４０に記憶されている輝度を減少させることによって、点灯比率記憶部４４に記憶されている点灯比率は、減少する。このようにして、点灯比率記憶部４４に記憶されている点灯比率を減少させて図１０に示す各ＬＥＤの点灯期間に近づけていくと、コントラストは大きくなり、各色のＬＥＤの点灯期間が減少するので輝度は減少していき、また、場所における輝度差は少なくなっていく。従って、第１の実施の形態の液晶表示装置１は、点灯比率を小さくして点灯期間を短くして図１０に示す各ＬＥＤの点灯期間に近づけることによって、表示画面の場所によって輝度差が生じることを抑制することが出来るとともに、コントラストの高い表示が可能になる。
【０１７６】
このように、基準値記憶部４０に記憶されている基準となる輝度及び／または色度の設定を変化させて、各色のＬＥＤの点灯比率を増減させることにより、第１の実施の形態の液晶表示装置１は、液晶表示パネル１０の表示画面のコントラストの高低、輝度の大小、及び輝度差の程度を設計値通りに自由に調光することが出来る。
【０１７７】
さらに、第１の実施の形態の液晶表示装置１は、上述したように輝度テーブル記憶部４８に記憶されている輝度テーブルを利用して、バックライトブロック１５ａの点灯期間において、バックライトブロック１５ａの輝度を制御する。  
【０１７８】
この結果、図９のタイミングチャートに示すように、最初の画素７５ａの表示素子に書き込まれた電圧が赤色に対応する印加電圧にまだ到達していない場合には、最初の画素７５ａの表示素子に書き込まれた電圧が赤色に対応する印加電圧に近付くにつれて、バックライトブロック１５ａの輝度が最大の輝度により近付いていくようにバックライト制御部１９によって制御される。また、最後の画素７５ｃの表示素子に書き込まれた電圧が赤色に対応する印加電圧から離脱した場合には、最後の画素７５ｃの表示素子に書き込まれた電圧が赤色に対応する印加電圧から離れていくにつれて、バックライトブロック１５ａの輝度が最大の輝度からより低下するようにバックライト制御部１９によって制御される。緑色の表示、青色の表示についても同様である。
【０１７９】
これにより、画素の表示素子に十分各色に対応する印加電圧が書き込まれている場合には、バックライトブロック１５ａを最大輝度で点灯させ、画素の表示素子に書き込まれた電圧の立ち上がり、立ち下がりの部分に関しては、画素の表示素子に書き込まれた電圧の程度に応じてバックライトブロック１５ａの輝度を制御するので、バックライトブロック１５ａの輝度を制御しない場合に比べて液晶表示装置１が消費する消費電力を低減でき、コントラストや動画応答の光学性能をさらに向上させることが出来る。
【０１８０】
また、第１の実施の形態の液晶表示装置１は、図１０に示すように、点灯比率を減少させた場合等、バックライトブロック１５ａのＬＥＤ１３ａ、１４ａが点灯している時間を短くした場合でも、高いコントラストの表示を行うことが出来る。このことを利用して、第１の実施の形態の液晶表示装置１を、バックライトブロック１５ａのＬＥＤ１３ａ、１４ａを効率良く点灯させるという目的にも使用することが出来る。
【０１８１】
つまり、バックライトブロック１５ａのＬＥＤ１３ａ、１４ａの点灯している時間を出来るだけ短くして、バックライトブロック１５ａのＬＥＤ１３ａ、１４ａに供給する電圧を高くすることにより、ＬＥＤ１３ａ、１４ａなどを高い輝度で発光させる。このようにすれば、液晶表示装置１は、高いコントラストの表示を行うことが出来、かつさらに消費電力を低減することも可能になる。
【０１８２】
また、第１の実施の形態では、図２に示すようにバックライト１１を複数のバックライトブロック１５ａ〜１５ｅに分割しているので、バックライト１１を分割しない場合に比べて、より、表示画面の場所による輝度差が少なく、高いコントラストの表示が可能になる。
【０１８３】
なお、第１の実施の形態では、実際に、最初の画素７８ａ、真中の画素７８ｂ、最後の画素７８ｃの表示素子の電圧波形７５ａ、７５ｂ、７５ｃを計測し、計測した電圧波形７５ａ、７５ｃを解析することにより、図８（ａ）に示す最後の画素書き込み電圧到達時間４５ａ、最初の画素書き込み電圧離脱時間４５ｂ、最後の画素黒挿入電圧到達時間４５ｃを求めたとして説明したが、これに限らない。
【０１８４】
図８（ａ）に示す最後の画素書き込み電圧到達時間４５ａ、最初の画素書き込み電圧離脱時間４５ｂ、最後の画素黒挿入電圧到達時間４５ｃは、液晶表示パネル１０に用いられる液晶材料と黒挿入駆動のための黒色に対応する電圧を最初の画素７８ａや最後の画素７８ｃ等に書き込むタイミングに応じて決まるものである。従って、使用する液晶材料や黒挿入駆動のための黒色に対応する電圧を最初の画素７８ａや最後の画素７８ｃ等に書き込むタイミング等に基づいて、最初の画素７８ａの表示素子の電圧波形７５ａや、最後の画素７８ｃの電圧波形７５ｃを予測し、予測した電圧波形７５ａや７８ｃから、予め、図８（ａ）に示す最後の画素書き込み電圧到達時間４５ａ、最初の画素書き込み電圧離脱時間４５ｂ、最後の画素黒挿入電圧到達時間４５ｃを求めても構わない。
【０１８５】
さらに、第１の実施の形態では、実際に、最初の画素７８ａ、最後の画素７８ｃの表示素子の電圧波形７５ａ、７５ｃを計測し、計測した電圧波形７５ａ、７５ｃから図８（ｃ）に示す輝度テーブルを求めるとして説明したがこれに限らない。上述したように、最初の画素７８ａ、最後の画素７８ｃの表示素子の電圧波形７５ａ、７５ｃは、液晶表示パネル１０に用いられる液晶材料と黒挿入駆動のための黒色に対応する電圧を最初の画素７８ａや最後の画素７８ｃ等に書き込むタイミングに応じて決まるものである。従って、使用する液晶材料や黒挿入駆動のための黒色に対応する電圧を最初の画素７８ａや最後の画素７８ｃ等に書き込むタイミング等に基づいて、最初の画素７８ａの表示素子の電圧波形７５ａや、最後の画素７８ｃの電圧波形７５ｃを予測し、予測した電圧波形７５ａや７８ｃから、予め、図８（ｃ）に示す輝度テーブルを求めても構わない。
【０１８６】
なお、第１の実施の形態では、調光制御部３３が決定した点灯比率に応じた点灯期間についての赤色のＬＥＤ点灯開始時期４７ａ、赤色のＬＥＤ点灯終了時期４７ｂ等の決定方法や、赤色のＬＥＤの点灯比率を増加させた場合の上限として、図９の赤色のＬＥＤの点灯期間の範囲（時期Ｔ０から時期Ｔ３までの期間）からはみ出さないようにする方法について説明したが、これにかぎらない。以下に示す第１の方法や第２の方法を用いることも出来る。
【０１８７】
まず、第１の方法について説明する。演算部４６が、時期Ｔ１と時期Ｔ２の真中の時期、すなわち、時期（Ｔ１＋Ｔ２）／２を算出した後、時期（Ｔ１＋Ｔ２）／２から時期Ｔ０までの時間的な長さと、時期（Ｔ１＋Ｔ２）／２から時期Ｔ３までの時間的な長さとの比が、時期（Ｔ１＋Ｔ２）／２から赤色のＬＥＤ点灯開始時期４７ａまでの時間的な長さと、時期（Ｔ１＋Ｔ２）／２から赤色のＬＥＤ点灯終了時期４７ｂまでの時間的な長さとの比に一致するように赤色のＬＥＤ点灯開始時期４７ａ及び赤色のＬＥＤ点灯終了時期４７ｂを決定する。
【０１８８】
そして、決定した赤色のＬＥＤ点灯開始時期４７ａ及び赤色のＬＥＤ点灯終了時期４７ｂが、それぞれ時期Ｔ０より過去の時期及び時期Ｔ３より未来の時期になった場合には、赤色のＬＥＤ点灯開始時期４７ａ及び赤色のＬＥＤ点灯終了時期４７ｂを時期Ｔ０及び時期Ｔ３に一致させるようにする。緑色のＬＥＤ、青色のＬＥＤについても同様に処理することによりそれぞれの点灯開始時期及び点灯終了時期を決定することが出来る。
【０１８９】
また、第２の方法は、赤色のＬＥＤ点灯開始時期４７ａ及び赤色のＬＥＤ点灯終了時期４７ｂ等の決定方法は、上記第１の実施の形態で説明した方法または、上記第１の方法のいずれかで決定する。そして、予め、赤色のＬＥＤ点灯開始時期４７ａ及び赤色のＬＥＤ点灯終了時期４７ｂのいずれかが、時期Ｔ０または時期Ｔ３と一致するような点灯比率の上限を求めておき、調光制御部３３が調光する際、点灯比率を、予め求めた点灯比率の上限を超えないようにすればよい。
【０１９０】
そして、上記第１の方法及び第２の方法のいずれの方法を用いる場合にも、各色の点灯期間に、バックライト制御部１９が、輝度テーブル記憶部４８に記憶されている輝度テーブルを利用して、バックライトブロック１５ａ〜１５ｅの輝度を制御することにより、バックライトブロック１５ａ〜１５ｅの輝度を制御しない場合に比べてさらに、液晶表示装置１が消費する消費電力を低減でき、コントラストや動画応答の光学性能をさらに向上させることが出来る。
【０１９１】
（第２の実施の形態）
次に、第２の実施の形態について説明する。
【０１９２】
第１の実施の形態では、フィールドシーケンシャル方式の液晶表示装置であって、黒挿入駆動を行う液晶表示装置及びその液晶表示装置の駆動方法について説明した。第２の実施の形態でも、第１の実施の形態と同様に、フィールドシーケンシャル方式の液晶表示装置であって、黒挿入駆動を行う液晶表示装置及びその液晶表示装置の駆動方法について説明する。
【０１９３】
第１の実施の形態の液晶表示装置は、図７、図９、図１０のタイミングチャートで説明したように、例えば赤書き込み電圧７１に画素７８の表示素子に書き込まれる電圧が到達する場合について説明した。つまり各色の書き込み電圧及び黒書き込み電圧に、最初の画素７８ａ、真中の画素７８ｂ、最後の画素７８ｃの各表示素子に書き込まれる電圧が到達し、所定の時間だけ実質上一定値をとる場合について説明した。
【０１９４】
これに対して、画素の表示素子に書き込まれる電圧が、各色の書き込み電圧に、完全に到達しない場合も起こり得る。つまり、フィールドシーケンシャル方式を採用し、さらに黒挿入駆動を行う場合には、対向基板にカラーフィルタを形成し、黒挿入駆動を行わない場合の液晶表示装置に比べて非常に高速に液晶表示装置を駆動する必要がある。このため、液晶表示パネルの画素数を増加させるなどの液晶表示装置の設計上の理由から各色の書き込み電圧に画素の表示素子に書き込まれる電圧が完全に到達しない場合が起こり得る。
【０１９５】
第２の実施の形態では、このような場合について説明する。
【０１９６】
なお、第２の実施の形態では、第１の実施の形態と同一部分には同一符号を付して詳細な説明を省略する。
【０１９７】
第２の実施の形態の液晶表示装置は、第１の実施の形態の液晶表示装置１と同様である。
【０１９８】
すなわち、図１に、第２の実施の形態の液晶表示装置１の構成を示すブロック図を示す。
【０１９９】
また、バックライト１１も、第１の実施の形態と同様に図２（ａ）及び図２（ｂ）で示される。
【０２００】
また、光センサ部２６も、第１の実施の形態と同様に図４（ａ）及び図４（ｂ）で示される。
【０２０１】
また、第２の実施の形態の液晶表示装置のうち、調光部１８やバックライト制御部１９、バックライト１１などの照明系の詳細は、第１の実施の形態と同様に図３で示す。
【０２０２】
図３のバックライト制御部１９が、解析結果記憶部４５、演算部４６、時期記憶部４７、輝度テーブル記憶部４８を備えている点については、第１の実施の形態と同様である。しかしながら、第２の実施の形態では、各色の書き込み電圧に、画素の表示素子に書き込まれる電圧が完全に到達しない場合を扱っているので、解析結果記憶部４５に記憶される情報と、輝度テーブル記憶部４８に記憶される輝度テーブルの作成方法とが第１の実施の形態と異なっている。
【０２０３】
すなわち、第２の実施の形態の解析結果記憶部４５は、画素が書き込みが開始されてから、その画素に書き込まれた書き込み電圧が、表示用データの各色に対応する電圧に最も接近するまでの時間を記憶する半導体メモリである。また、第２の実施の形態の輝度テーブル記憶部４８に記憶される輝度テーブルは、図６に示す真中の画素７８ｂの表示素子に書き込まれた電圧に基づいて作成されたものである。それ以外は、第１の実施の形態と同様である。
【０２０４】
次に、第２の実施の形態の液晶表示装置１の動作を説明するとともに、本発明の液晶表示装置の一実施の形態について、第１の実施の形態との相違点を中心に説明する。
【０２０５】
液晶表示装置１の電源が入れられた際、液晶表示装置１は、第１の実施の形態と同様に転移駆動を行う。
【０２０６】
転移駆動が完了し、液晶表示装置１の表示動作が可能になると、液晶表示装置１は表示動作を開始する。
【０２０７】
液晶表示装置１が映像表示信号を画素に書き込む動作については第１の実施の形態ですでに説明した。すなわち、１フレーム期間（または１フィールド期間）には、赤表示期間、黒挿入期間、緑表示期間、黒挿入期間、青表示期間、及び黒挿入期間がこの順に設けられている。
【０２０８】
次にバックライト１１等の照明系の動作を説明する。
【０２０９】
なお、バックライト１１等の照明系の動作については、第１の実施の形態と同様に、バックライト１１を構成するバックライトブロック１５ａに着目して説明するが、バックライトブロック１５ｂ〜１５ｅについてもバックライトブロック１５ａと同様の動作であるのでそれらの動作の説明を省略する。
【０２１０】
図１１は、図６に示した最初の画素７８ａ、真中の画素７８ｂ、及び最後の画素７８ｃの各表示素子に書き込まれた電圧波形と、バックライトブロック１５ａの各色のＬＥＤの点灯消灯状態を示すタイミングチャート図である。図１１において、紙面に向かって左側から右側に向かって時間が経過して行く。
【０２１１】
８１ａは、最初の画素７８ａの表示素子に書き込まれた電圧波形である。
【０２１２】
８１ｂは、真中の画素７８ｂの表示素子に書き込まれた電圧波形である。
【０２１３】
８１ｃは、最後の画素７８ｃの表示素子に書き込まれた電圧波形である。
【０２１４】
図１１において、紙面に向かって左側から右側に時間が経過している。
【０２１５】
図１１において、Ｒ＿ＬＥＤ、Ｇ＿ＬＥＤ、Ｂ＿ＬＥＤは、バックライトブロック１５ａの光源であるＬＥＤ１３ａ、１４ａのうち赤色のＬＥＤ、緑色のＬＥＤ、青色のＬＥＤの点灯消灯状態及び輝度をそれぞれ示すものである。すなわち、Ｒ＿ＬＥＤ、Ｇ＿ＬＥＤ、Ｂ＿ＬＥＤにおいて、点線が赤色のＬＥＤ、緑色のＬＥＤ、青色のＬＥＤの点灯消灯状態を示し、実線が輝度を示すものである。
【０２１６】
また、図１１において、７４は黒挿入駆動のための黒色の電圧を示し、７１は、表示データの赤色に対応する電圧を示し、赤表示期間に画素に書き込むべき赤書き込み電圧を示し、７２は、表示データの緑色に対応する電圧を示し、緑表示期間に画素に書き込むべき緑書き込み電圧を示し、７４は、表示データの青色に対応する電圧を示し、青表示期間に画素に書き込むべき青書き込み電圧を示している。
【０２１７】
また、図１１は、バックライトブロック１５ａの各色のＬＥＤの点灯比率が全て７０パーセントになるように、調光部１８が決定した場合である。すなわち、調光部１８の点灯比率記憶部４４には、バックライト１５ａのＬＥＤ１３ａ、１４ａの各色のＬＥＤの点灯比率が７０パーセントであるという情報が記憶されている。
【０２１８】
バックライト制御部１９は、調光部１８の点灯比率記憶部４４からこの情報を読み出し、さらに、解析結果記憶部４５に記憶されている情報を読み出す。
【０２１９】
図１２（ａ）に解析結果記憶部４５に記憶されている情報を示す。
【０２２０】
真中の画素書き込み電圧最接近時間４５ｄは、最初の画素７８ａの表示素子に表示用データの各色に対応する電圧の書き込みが開始されてから、真中の画素７８ｂの表示素子に書き込まれた電圧が、表示用データの各色に対応する電圧に最も近付くまでの時間である。最後の画素閾値電圧到達時間４５ｅは、最初の画素７８ａの表示素子に表示用データの各色に対応する電圧の書き込みが開始されてから、最後の画素７８ｃの表示素子に書き込まれた電圧が、各色の書き込み電圧に対して、予め決められた所定の比率に到達する時間である。最初の画素閾値電圧離脱時間４５ｆは、最初の画素７８ａの表示素子に表示用データの各色に対応する電圧の書き込みが開始されてから、最初の画素７８ａの表示素子に書き込まれた電圧が、各色の書き込み電圧に対して、予め決められた所定の比率を離脱する時間である。
【０２２１】
第２の実施の形態では、実際に、最初の画素７８ａの表示素子、真中の画素７８ｂの表示素子、最後の画素７８ｃの表示素子のそれぞれに書き込まれた電圧波形８１ａ、８１ｂ、８１ｃをテスターにて計測し、計測した電圧波形８１ａ、８１ｂ、８１ｃを解析することにより、図１２（ａ）に示す真中の画素書き込み電圧最接近時間４５ｄ、最後の画素閾値電圧到達時間４５ｅ、最初の画素閾値電圧離脱時間４５ｆを求めた。
【０２２２】
そして、求めた真中の画素書き込み電圧最接近時間４５ｄ、最後の画素閾値電圧到達時間４５ｅ、最初の画素閾値電圧離脱時間４５ｆを、図１２（ａ）に示すように、解析結果記憶部４５に予め記憶させておいた。
【０２２３】
そして、演算部４６は、コントローラ４から送られてくるバックライト制御信号（クロック信号、水平同期信号、垂直同期信号等）を利用して、真中の画素書き込み電圧最接近時間４５ｄ、最後の画素閾値電圧到達時間４５ｅ、最初の画素閾値電圧離脱時間４５ｆを用いて、演算により、バックライトブロック１５ａのＬＥＤ１３ａ、１４ａのうちの赤色のＬＥＤ、緑色のＬＥＤ、青色のＬＥＤそれぞれの点灯開始時期及び点灯終了時期を決定して、時期記憶部４７に記憶させる。なお、演算部４６による上記の点灯開始時期及び点灯終了時期の求め方については後述する。
【０２２４】
図１２（ｂ）に時期記憶部４７に記憶されたバックライトブロック１５ａのＬＥＤ１３ａ、１４ａのうちの赤色のＬＥＤ、緑色のＬＥＤ、青色のＬＥＤそれぞれの点灯開始時期及び点灯終了時期を示す。図１２（ｂ）は、第１の実施の形態で説明した図８（ｂ）と同様である。
【０２２５】
バックライト制御部１９は、時期が、時期記憶部４７に記憶されている赤色ＬＥＤ点灯開始時期４７ａになったタイミングで、バックライトブロック１５ａのＬＥＤ１３ａ、１４ａのうちの赤色のＬＥＤを点灯させる。そして、時期が、時期記憶部４７に記憶されている赤色ＬＥＤ点灯終了時期４７ｂになったタイミングで、バックライトブロック１５ａのＬＥＤ１３ａ、１４ａのうちの赤色のＬＥＤを消灯させる。バックライト制御部１９は、バックライトブロック１５ａのＬＥＤ１３ａ、１４ａのうちの緑色のＬＥＤ及び青色のＬＥＤについても同様の制御を行う。
【０２２６】
さらに、バックライト制御部１９は、バックライトブロック１５ａのＬＥＤ１３ａ、１４ａを点灯させる場合、バックライトブロック１５ａの輝度も制御する。すなわち、バックライト制御部１９は、バックライトブロック１５ａのＬＥＤ１３ａ、１４ａを点灯させる場合には、各色の表示期間の開始時から経過した時間におけるバックライトブロック１５ａの輝度を、輝度テーブル記憶部４８に記憶されている輝度テーブルを利用して決定する。そして、決定した輝度でバックライトブロック１５ａが点灯するようにバックライトブロック１５ａを制御する。
【０２２７】
図１２（ｃ）に輝度テーブル記憶部４８に記憶されている輝度テーブルの概念図を示す。図１２（ｃ）の横軸は、各色の表示期間の開始時期からの時間を示し、縦軸は、バックライトブロック１５ａの輝度に対応している。すなわち、縦軸は、バックライトブロック１５ａが最大の輝度で点灯する場合を１で示し、バックライトブロック１５ａが消灯する場合を０で示し、バックライトブロック１５ａの中間の輝度を０から１までの数値で示している。すなわち、輝度テーブル記憶部４８に記憶されている輝度テーブルとは、各色の表示期間の開始時期からの時間に、その時間におけるバックライトブロック１５ａの輝度を０から１までの数値として表したテーブルである。
【０２２８】
従って、各色の表示期間の開始時期から経過した時間におけるバックライトブロック１５ａの輝度は、輝度テーブル記憶部４８に記憶されている輝度テーブルから、その時間に対応付けられた０から１までの数値を取得し、バックライトブロック１５ａの最大輝度にその数値を掛け算することにより求めることが出来る。なお、輝度テーブル記憶部４８に記憶されている輝度テーブルの求め方については後述する。
【０２２９】
バックライト制御部１９がこのような制御を行うことにより、図１１において、バックライトブロック１５ａの光源であるＬＥＤ１３ａ、１４ａのうち赤色のＬＥＤ、緑色のＬＥＤ、青色のＬＥＤの点灯消灯状態及び輝度は、それぞれ、Ｒ＿ＬＥＤ、Ｇ＿ＬＥＤ、Ｂ＿ＬＥＤのようになる。
【０２３０】
さて、上述したように、演算部４６による上記の点灯開始時期及び点灯終了時期の求め方について図１１を用いて説明する。
【０２３１】
演算部４６は、バックライトブロック１５ａのＬＥＤ１３ａ、１４ａの各色のＬＥＤの点灯比率が７０パーセントであるという情報を点灯比率記憶部４４から読み込む。次に、演算部４６は、赤表示期間（赤書き込み）に対して、点灯比率をかけ算することにより、バックライトブロック１５ａのＬＥＤ１３ａ、１４ａの赤色のＬＥＤの点灯期間を求める。演算部４６は、緑色及び青色についても同様の処理を行うことにより、バックライトブロック１５ａのＬＥＤ１３ａ、１４ａの緑色のＬＥＤ及び青色のＬＥＤの点灯期間を求める。
【０２３２】
なお、本実施の形態の赤色のＬＥＤの点灯期間は、本発明の所定の点灯期間の一例であり、本実施の形態の緑色のＬＥＤの点灯期間は、本発明の所定の点灯期間の一例であり、本実施の形態の青色のＬＥＤの点灯期間は、本発明の所定の点灯期間の一例である。
【０２３３】
次に、演算部４６は、バックライト制御信号を利用して、図６に示す最初の画素７８ａの表示素子に実際に表示用データの赤色に対応する電圧の書き込みが開始される時期を求め、求めた時期に解析結果記憶部４５に記憶されている真中の画素書き込み電圧最接近時間４５ｄを加算する。このようにして、真中の画素７８ｂの表示素子の書き込み電圧波形８１ｂが、赤書き込み電圧７１に最も接近する時期Ｔ２０が求まる（図１１参照）。
【０２３４】
演算部４６は、時期Ｔ２０、すなわち、真中の画素７８ｂの表示素子の書き込み電圧波形８１ｂが、赤書き込み電圧７１に最も接近する時期が、赤色のＬＥＤの点灯期間の真中に一致するように、バックライトブロック１５ａの光源であるＬＥＤ１３ａ、１４ａのうち赤色のＬＥＤ点灯開始時期及び点灯終了時期を求め、それぞれ、赤色のＬＥＤ点灯開始時期４７ａ及び赤色のＬＥＤ点灯終了時期４７ｂとして、時期記憶部４７に記憶させる（図１２（ｂ）参照）。
【０２３５】
演算部４６は、バックライトブロック１５ａの光源であるＬＥＤ１３ａ、１４ａのうち緑色のＬＥＤ及び青色のＬＥＤに関しても同様の処理を行うことにより、時期Ｔ２１及び時期Ｔ２２を求めることにより、時期記憶部４７に、緑色のＬＥＤ点灯開始時期４７ｃ、緑色のＬＥＤ点灯終了時期４７ｄ、青色のＬＥＤ点灯開始時期４７ｅ、及び緑色のＬＥＤ点灯終了時期４７ｆを、時期記憶部４７に記憶させる。
【０２３６】
以上、演算部４６による点灯開始時期及び点灯終了時期の求め方について説明した。
【０２３７】
次に、輝度テーブル記憶部４８に記憶されている輝度テーブルの求め方について説明する。第２の実施の形態では、第１の実施の形態と異なり、輝度テーブルは、真中の画素７７ｂの表示素子に書き込まれた電圧に基づいて求める。
【０２３８】
すなわち、赤表示期間の開始時期から赤表示期間に引き続く黒挿入期間の終了時期までにおいて、赤表示期間の開始時期から赤表示期間に引き続く黒挿入期間の終了時期までの期間において、赤表示期間の開始時期から経過した各時間で、真中の画素７８ｂの表示素子に書き込まれた電圧をテスターにより予め測定しておく。これにより、赤表示期間の開始時期から赤表示期間に引き続く黒挿入期間の終了時期までの期間で、真中の画素７８ｂの表示素子に書き込まれた電圧波形８１ｂを得る。
【０２３９】
次に、得られた電圧波形８１ｂを解析することにより輝度テーブルを作成する。上述したように、輝度テーブル記憶部４８に記憶されている輝度テーブルとは、各色の表示期間の開始時期からの時間に、その時間におけるバックライトブロック１５ａの輝度を０から１までの数値として表したテーブルである。
【０２４０】
赤表示期間の開始時期から赤表示期間に引き続く黒挿入期間の終了時期までの期間において、真中の画素７８ｂの表示素子に書き込まれた電圧波形８１ｂに基づいて輝度テーブルを求める。
【０２４１】
すなわち、赤表示期間の開始時期から赤表示期間に引き続く黒挿入期間の終了時期までの期間において、赤表示期間の開始時期から経過した各時間において、真中の画素７８ｂの表示素子に書き込まれた電圧が、赤色に対応する電圧に到達している時には、その時間の輝度を１とする。そして、その時間の真中の画素７８ｂの表示素子に書き込まれた電圧が、黒色に対応する電圧に到達している時には、その時間の輝度を０とする。さらに、その時間の真中の画素７８ｂの表示素子に書き込まれた電圧が、赤色に対応する電圧と黒色に対応する電圧との中間の電圧である場合には、書き込まれた電圧が赤色に対応する電圧に近いほど、その時間の輝度をより１に近づけ、書き込まれた電圧が黒色に対応する電圧に近いほど、その時間の輝度をより０に近づける。
【０２４２】
このような値を、赤表示期間の開始時期から赤表示期間に引き続く黒挿入期間の終了時期までの期間において、赤表示期間の開始時期から経過した各時間毎に求める。
【０２４３】
そして、赤表示期間の開始時期から赤表示期間に引き続く黒挿入期間の終了時期までの期間において、赤表示期間の開始時期から経過した時間に、上記のようにして求めた０から１までの値を対応させて、輝度テーブル記憶部４８に記憶させる。以上で、図１２（ｃ）に示す輝度テーブルを求めることが出来る。
【０２４４】
なお、第２の実施の形態では、輝度テーブルとして、赤表示期間の開始時期から赤表示期間に引く続黒挿入期間の終了時期までの期間の各時期のバックライトブロックの輝度を、真中の画素７７ｂの表示素子に書き込まれた電圧に基づいて求めるとして説明した。
【０２４５】
そして、このようにして求めた輝度テーブルを利用して、バックライトブロック１５ａの輝度を制御した結果、図１１、図１３、または図１４に示すように、バックライトブロック１５ａが点灯を開始した際、瞬時にある輝度レベルまでバックライトブロック１５ａの輝度が上昇し、やがてピークの輝度に到達した後、時間経過とともになだらかに変化し、バックライトブロック１５ａの点灯終了時期において、瞬時にある輝度レベルから消灯した。
【０２４６】
以下に、上記とは別の輝度テーブルの求め方について説明する。下記のようにして求めた輝度テーブルを利用して、バックライトブロック１５ａの輝度を制御すると、例えば、バックライトブロック１５ａの輝度が、点灯開始時期において瞬時に増加するのではなくなだらかに増加して行き、図１１、図１３、または図１４に示すバックライトブロック１５ａのピーク位置に到達した後、点灯終了時期においてある輝度レベルから瞬時に消灯するのではなく、点灯終了時期までなだらかに減少するようにすることも可能である。
【０２４７】
すなわち、赤表示期間の開始時期から赤表示期間に引き続く黒挿入期間の終了時期までにおいて、赤表示期間の開始時期から赤表示期間に引き続く黒挿入期間の終了時期までの期間において、赤表示期間の開始時期から経過した各時間で、真中の画素７８ｂの表示素子に書き込まれた電圧をテスターにより予め測定しておく。これにより、赤表示期間の開始時期から赤表示期間に引き続く黒挿入期間の終了時期までの期間で、真中の画素７８ｂの表示素子に書き込まれた電圧波形８１ｂを得る。
【０２４８】
次に、得られた電圧波形８１ｂを解析することにより、電圧波形８１ｂがピークの値をとる時期を求める。
【０２４９】
この求めたピークの値をとる時期は、図１２（ａ）に示す真中の画素書き込み電圧最接近時間４５ｄと一致するので、この求めたピークの値をとる時期として、真中の画素書き込み電圧最接近時間４５ｄを用いても構わない。
【０２５０】
次に、輝度テーブルを作成する。輝度テーブルは、赤色のＬＥＤ点灯開始時期４７ａまでの時期においては、値を全て０に設定する。そして、赤色のＬＥＤ点灯開始時期４７ａから求めたピークの値をとる時期までの期間においては、輝度テーブルの値を０からなだらかに増加させて行き、ピークの値をとる時期において、輝度テーブルの値を１とする。そして、ピークの値をとる時期から赤色のＬＥＤ点灯終了時期４７ｂまでの期間においては、輝度テーブルを１からなだらかに０まで減少させる。このようにして輝度テーブルを作成することにより、上述したようにバックライトブロック１５ａの輝度が、点灯開始時期において瞬時に増加するのではなくなだらかに増加して行き、点灯終了時期においてある輝度レベルから瞬時に消灯するのではなく、点灯終了時期までなだらかに減少するようにすることが出来る。
【０２５１】
また、図１２（ｂ）に示すように各色のＬＥＤの点灯開始時期と点灯終了時期とがその期間の長さ等が異なっている場合が生じ得る。このような場合には、各色毎に輝度テーブルを作成し、各色を表示する際に対応する輝度テーブルを用いればよい。
【０２５２】
なお、第２の実施の形態では、輝度テーブルを、真中の画素７７ｂの表示素子に書き込まれた電圧に基づいて求めるとして説明したが、これに限らない。
【０２５３】
輝度テーブルを、最初の画素７７ａの表示素子に書き込まれた電圧と最後の画素７７ｃの表示素子に書き込まれた電圧との平均の電圧から輝度テーブルを決定しても構わない。
【０２５４】
また、輝度テーブルを、最初の画素７７ａに書き込まれた電圧と、真中の画素７７ｂの表示素子に書き込まれた電圧と、最後の画素７７ａの表示素子に書き込まれた電圧との平均の電圧から輝度テーブルを決定しても構わない。
【０２５５】
また、輝度テーブルを、最初の走査線７７ａから最後の走査線７７までの各走査線上に存在する表示素子に書き込まれた電圧の平均の電圧から輝度テーブルを決定しても構わない。
【０２５６】
また、輝度テーブルを、最初の走査線７７ａから最後の走査線７７ｃまでの各走査線のうち、Ｎ本毎（Ｎは２以上の整数）の走査線を選び、その選んだ走査線上に存在する各表示素子に書きこまれた電圧の平均の電圧から輝度テーブルを決定しても構わない。
【０２５７】
また、最初の走査線７７ａから最後の走査線７７ｃまでの各走査線のうち、ランダムにＭ本（Ｍは２以上で、最初の走査線７７ａから最後の走査線７７ｃまでに存在する走査線の本数より小さい整数）の走査線を選び、その選んだ走査線上に存在する各表示素子に書き込まれた電圧の平均の電圧から輝度テーブルを決定しても構わない。
【０２５８】
なお、図３の基準値記憶部４０に記憶されている基準となる輝度を増加させるにつれて、調光制御部３３によりバックライトブロック１５ａが調光された結果、点灯比率記憶部４４に記憶されている点灯比率も増加する。
【０２５９】
図１１において、このようにして点灯比率が増加した場合であっても、各色のＬＥＤの点灯期間の上限を以下のように制限するようにした。
【０２６０】
すなわち、赤色のＬＥＤについて説明すると、演算部４６が上記のような動作により、赤色のＬＥＤ点灯開始時期４７ａ及び赤色のＬＥＤ点灯終了時期４７ｂを決定したとする。
【０２６１】
その後、赤色のＬＥＤ点灯開始時期４７ａが、最初の画素７８ａの表示素子に実際に表示用データの赤色に対応する電圧の書き込みが開始される時期に最後の画素閾値電圧到達時間４５ｅ（図１２参照）を加算した時期（図１１の時期Ｔ２０Ｌに対応、以下時期Ｔ２０Ｌと呼ぶ）との大小関係を比較する。
【０２６２】
そして、赤色のＬＥＤ点灯開始時期４７ａが、時期Ｔ２０Ｌより小さい（過去）であれば、赤色のＬＥＤ点灯開始時期４７ａを、時期Ｔ２０Ｌに等しくして、時期記憶部４７に記憶させる。
【０２６３】
また、赤色のＬＥＤ点灯開始時期４７ａが、時期Ｔ２０Ｌ以上（未来）であれば、赤色のＬＥＤ点灯開始時期４７ａを、そのまま変更しないで時期記憶部４７に記憶させる。
【０２６４】
さらに、赤色のＬＥＤ点灯終了時期４７ｂが、最初の画素７８ａの表示素子に実際に表示用データの赤色に対応する電圧の書き込みが開始される時期に最初の画素閾値電圧離脱時間４５ｆ（図１２参照）を加算した時期（図１１の時期Ｔ２０Ｕに対応、以下時期Ｔ２０Ｕと呼ぶ）との大小関係を比較する。
【０２６５】
そして、赤色のＬＥＤ点灯終了時期４７ｂが、時期Ｔ２０Ｕ以上（未来）であれば、赤色のＬＥＤ点灯終了時期４７ｂを、時期Ｔ２０Ｕに等しくして、時期記憶部４７に記憶させる。
【０２６６】
また、赤色のＬＥＤ点灯終了時期４７ｂが、時期Ｔ２０Ｕより小さい（過去）であれば、赤色のＬＥＤ点灯終了時期４７ｂを、そのまま変更しないで時期記憶部４７に記憶させる。
【０２６７】
緑色のＬＥＤ及び青色のＬＥＤについても同様の処理を行う。
【０２６８】
このように、バックライトブロックの光源であるＬＥＤ１３ａ、１４ａのうち赤色のＬＥＤ、緑色のＬＥＤ、青色のＬＥＤの点灯期間の上限を制限することにより、点灯比率を増加させた場合であっても、各色のＬＥＤの消費電力の増加を抑えることが可能になるとともに、コントラストの低下を抑制することが出来る。
【０２６９】
さらに、図１１のＲ＿ＬＥＤに示すように、バックライトブロック１５ａが赤色を表示する際、バックライトブロック１５ａが点灯を開始した時期から時間が経過するにつれて、バックライトブロック１５ａの輝度は連続的に増加していき、やがてバックライトブロック１５ａは、時期Ｔ２０において最大の輝度に到達する。その後バックライトブロック１５ａの輝度は、点灯終了時期まで時間が経過するにつれて連続的に減少していく。バックライトブロック１５ａが、緑色、青色を表示する際は、それぞれ図１１のＧ＿ＬＥＤ、Ｂ＿ＬＥＤに示され、バックライトブロック１５ａが赤色を表示する際と同様にバックライトブロック１５ａの輝度が変化する。
【０２７０】
このように、真中の画素７５ｂの表示素子に書き込まれた電圧の立ち上がり、立ち下がりの部分に関しては、バックライト制御部１９が真中の画素７５ｂの表示素子に書き込まれた電圧に基づいてバックライトブロック１５ａの輝度を制御するので、バックライトブロック１５ａの輝度を制御しない場合に比べて液晶表示装置１が消費する消費電力をさらに低減でき、コントラストや動画応答の光学性能をさらに向上させることが出来る。
【０２７１】
図１３は、バックライトブロック１５ａの各色のＬＥＤの点灯比率が全て１００パーセントになるように、調光部１８が決定した場合である。すなわち、調光部１８の点灯比率記憶部４４には、バックライト１５ａのＬＥＤ１３ａ、１４ａの各色のＬＥＤの点灯比率が１００パーセントであるという情報が記憶されている。このような場合にも、上記と同様の動作を行うことにより、演算部４６は、図８（ｂ）に示す、赤色のＬＥＤ点灯開始時期４７ａ、赤色のＬＥＤ点灯終了時期４７ｂ等を求めることが出来る。
【０２７２】
図１４は、バックライトブロック１５ａの各色のＬＥＤの点灯比率が全て３０パーセントになるように、調光部１８が決定した場合である。すなわち、調光部１８の点灯比率記憶部４４には、バックライト１５ａのＬＥＤ１３ａ、１４ａの各色のＬＥＤの点灯比率が３０パーセントであるという情報が記憶されている。このような場合にも、上記と同様の動作を行うことにより、演算部４６は、図１２（ｂ）に示す、赤色のＬＥＤ点灯開始時期４７ａ、赤色のＬＥＤ点灯終了時期４７ｂ等を求めることが出来る。
【０２７３】
図１４に示すように、点灯比率を３０パーセントまで下げた場合、つまり、バックライトブロック１５ａのＬＥＤ１３ａ、１４ａが点灯している時間を短くした場合でも、図６に示した真中の走査線７７ｂ上の真中の画素７８ｂ（図６参照）が赤書き込み電圧７１、緑書き込み電圧７２、青書き込み電圧７３にそれぞれ最も接近する時期Ｔ２０、Ｔ２１、Ｔ２２が、バックライトブロック１５ａの点灯期間の中心と一致する。そして、図６に示した最初の走査線７７ａの最初の画素７８ａが、赤書き込み電圧７１、緑書き込み電圧７２、青書き込み電圧７３にそれぞれ最も接近する時期が、バックライトブロック１５ａのＬＥＤ１３ａ、１４ａの赤色のＬＥＤ、緑色のＬＥＤ、青色のＬＥＤが点灯する期間に含まれている。同様に、図６に示した最後の走査線７７ｃの最後の画素７８ｃが、赤書き込み電圧７１、緑書き込み電圧７２、青書き込み電圧７３にそれぞれ最も接近する時期が、バックライトブロック１５ａのＬＥＤ１３ａ、１４ａの赤色のＬＥＤ、緑色のＬＥＤ、青色のＬＥＤが点灯する期間に含まれている。図１１及び図１３に示すように、図１４より点灯比率が大きい場合も同様である。
【０２７４】
従って、第１の実施の形態と画素の表示素子に書き込まれる電圧波形が異なっている場合であっても、第１の実施の形態と同等の効果を得ることが出来る。特に、真中の画素７５ｂの表示素子に書き込まれた電圧の立ち上がり、立ち下がりの部分に関しては、バックライト制御部１９が真中の画素７５ｂの表示素子に書き込まれた電圧に基づいてバックライトブロック１５ａの輝度を制御するので、バックライトブロック１５ａの輝度を制御しない場合に比べて液晶表示装置１が消費する消費電力をさらに低減でき、コントラストや動画応答の光学性能をさらに向上させることが出来る。
【０２７５】
また、第２の実施の形態の液晶表示装置１は、図１４に示すように、点灯比率を３０パーセントまで下げた場合等、バックライトブロック１５ａのＬＥＤ１３ａ、１４ａが点灯している時間を短くした場合でも、高いコントラストの表示を行うことが出来る。
【０２７６】
このことを利用して、第２の実施の形態の液晶表示装置１を、バックライトブロック１５ａのＬＥＤ１３ａ、１４ａを効率良く点灯させるという目的にも使用することが出来る。
【０２７７】
つまり、バックライトブロック１５ａのＬＥＤ１３ａ、１４ａの点灯している時間を短くして、バックライトブロック１５ａのＬＥＤ１３ａ、１４ａに供給する電圧を高くすることにより、ＬＥＤ１３ａ、１４ａなどを高い輝度で発光させる。このようにすれば、液晶表示装置１は、高いコントラストの表示を行うことが出来、ＣＲＴのようなインパルス型の表示に近づけることが出来るので動画視認性を向上させることが出来るとともに、さらに消費電力を低減することも可能になる。
【０２７８】
なお、第２の実施の形態では、実際に、最初の画素７８ａ、真中の画素７８ｂ、最後の画素７８ｃそれぞれの表示素子の電圧波形８１ａ、８１ｂ、８１ｃを計測し、計測した電圧波形８１ａ、８１ｂ、８１ｃを解析することにより、図１２（ａ）に示す真中の画素書き込み電圧最接近時間４５ｄ、最後の画素閾値電圧到達時間４５ｅ、最初の画素閾値電圧離脱時間４５ｆを求めたとして説明したが、これに限らない。
【０２７９】
真中の画素書き込み電圧最接近時間４５ｄ、最後の画素閾値電圧到達時間４５ｅ、最初の画素閾値電圧離脱時間４５ｆは、液晶表示パネル１０に用いられる液晶材料と黒挿入駆動のための黒色に対応する電圧を最初の画素７８ａ、真中の画素７８ｂ、最後の画素７８ｃに書き込むタイミングに応じて決まるものである。従って、使用する液晶材料や黒挿入駆動のための黒色に対応する電圧を最初の画素７８ａ、真中の画素７８ｂ、最後の画素７８ｃに書き込むタイミング等に基づいて最初の画素７８ａ、真中の画素７８ｂ、最後の画素７８ｃの表示素子の電圧波形を予測し、予測した電圧波形から予め真中の画素書き込み電圧最接近時間４５ｄ、最後の画素閾値電圧到達時間４５ｅ、最初の画素閾値電圧離脱時間４５ｆを求めることも可能である。
【０２８０】
さらに、第２の実施の形態では、実際に、真中の画素７８ｂの表示素子に書き込まれた電圧波形８１ｂを計測し、計測した電圧波形８１ｂから図８（ｃ）に示す輝度テーブルを求めるとして説明したがこれに限らない。上述したように、真中の画素７８ｂの表示素子の電圧波形７５ｂは、液晶表示パネル１０に用いられる液晶材料と黒挿入駆動のための黒色に対応する電圧を真中の画素７８ｂに書き込むタイミングに応じて決まるものである。従って、使用する液晶材料や黒挿入駆動のための黒色に対応する電圧を真中の画素７８ｂに書き込むタイミング等に基づいて、真中の画素７８ｂの表示素子の電圧波形７５ｂを予測し、予測した電圧波形７５ｂから、予め、図１２（ｃ）に示す輝度テーブルを求めても構わない。
【０２８１】
さらに、第２の実施の形態では、演算部４６は、時期Ｔ２０、すなわち、真中の画素７８ｂの表示素子の書き込み電圧波形８１ｂが、赤書き込み電圧７１に最も接近する時期が、赤色のＬＥＤの点灯期間の真中に一致するように、バックライトブロック１５ａの光源であるＬＥＤ１３ａ、１４ａのうち赤色のＬＥＤ点灯開始時期及び点灯終了時期を求めるとして説明したが、これに限らない。
【０２８２】
演算部４６が、時期Ｔ２０、すなわち、真中の画素７８ｂの表示素子の書き込み電圧波形８１ｂが、赤書き込み電圧７１に最も接近する時期における真中の画素７８ｂの表示素子の立ち上がりの傾きの大きさと立ち下がりの傾き大きさとの比率に応じてバックライトブロック１５ａの光源であるＬＥＤ１３ａ、１４ａのうち赤色のＬＥＤ点灯開始時期及び点灯終了時期を補正しても構わない。また、バックライトブロック１５ａの光源であるＬＥＤ１３ａ、１４ａのうち緑色のＬＥＤ及び青色のＬＥＤそれぞれの、点灯開始時期及び点灯終了時期を、赤色のＬＥＤと同様に補正しても構わない。
【０２８３】
例えば、図１４において、電圧波形８１ｂの時期Ｔ２０の左側の傾きの大きさは、電圧波形８１ｂの時期Ｔ２０の右側の傾きの大きさよりも小さくなっている。このような場合、まず、時期Ｔ２０、すなわち、真中の画素７８ｂの表示素子の書き込み電圧波形８１ｂが、赤書き込み電圧７１に最も接近する時期Ｔ２０が、赤色のＬＥＤの点灯期間の真中に一致するように、バックライトブロック１５ａの光源であるＬＥＤ１３ａ、１４ａのうち赤色のＬＥＤの点灯開始時期及び点灯終了時期を求める。
【０２８４】
その後、電圧波形８１ｂの時期Ｔ２０における左側の傾き（立ち下がりの傾き）の大きさと、時期Ｔ２０の右側の傾き（立ち上がりの傾き）の大きさとの比率に応じて、求めた赤色のＬＥＤの点灯開始時期及び点灯終了時期を補正することが出来る。
【０２８５】
図１４の場合には、時期Ｔ２０における左側の傾き（立ち下がりの傾き）の大きさの方が、時期Ｔ２０における右側に傾き（立ち上がりの傾き）の大きさより小さい。このような場合には、図１４において、赤色のＬＥＤの点灯開始時期及び点灯終了時期を、立ち下がりの傾きの大きさと立ち上がりの傾きの大きさとの比率に応じて、赤色のＬＥＤの点灯開始時期及び点灯終了時期を左側にシフトする。
【０２８６】
このように、求めた赤色のＬＥＤの点灯開始時期及び点灯終了時期を、電圧波形８１ｂの時期Ｔ２０における立ち下がりの傾きの大きさと、電圧波形８１ｂの時期Ｔ２０における立ち上がりの傾きの大きさとの比率に応じて補正することが出来る。バックライトブロック１５ａの光源であるＬＥＤ１３ａ、１４ａのうち緑色のＬＥＤ、及び青色のＬＥＤについても同様である。
【０２８７】
このようにすることによりさらに、高いコントラストの表示が可能になる。
【０２８８】
また、赤色のＬＥＤの点灯開始時期及び点灯終了時期の別の求め方として、図１４の電圧波形８１ｂを赤色のＬＥＤの点灯開始時期から赤色のＬＥＤの点灯終了時期までの時間で積分して得られる面積が極値をとるように、赤色のＬＥＤの点灯開始時期及び点灯終了時期を決定することも出来る。ただし、上記で電圧波形８１ｂを積分する区間の長さ（時間）は、赤色のＬＥＤの点灯期間に一致させて積分するものとする。緑色のＬＥＤ及び青色のＬＥＤに関しても同様である。このようにしても、第２の実施の形態と同様に高いコントラストの表示が可能になる。
【０２８９】
また、このような処理は、第１の実施の形態の図７で説明したような電圧波形７５ｂに対しても適用することが出来る。ただし電圧波形７５ｂにおいては、赤色のＬＥＤの点灯期間の時間的な長さによっては、極値が一意に決まらない場合が生じる。例えば図１０に示すように赤色のＬＥＤの点灯期間の時間的な長さが短くなった場合に、極値が一意に決まらない場合が生じる。このように、極値が一意に決まらない場合には、第１の実施の形態で説明した方法で、赤色のＬＥＤの点灯開始時期及び点灯終了時期を決めればよい。
【０２９０】
このように、電圧波形８１ｂや電圧波形７５ｂを赤色のＬＥＤの点灯開始時期から赤色のＬＥＤの点灯終了時期までの時間で積分して得られる面積が極値とるように、赤色のＬＥＤの点灯開始時期及び点灯終了時期を決定し、緑色のＬＥＤ及び青色のＬＥＤに関しても同様の処理を行うことにより、第１の実施の形態及び第２の実施の形態と同様に高いコントラストの表示が可能になる。
【０２９１】
（第３の実施の形態）
次に、第３の実施の形態について説明する。
【０２９２】
液晶表示パネルの温度は、周囲の気温の変動や、液晶表示装置自体の発熱等の影響により、通常一定ではない。そして、第１の実施の形態で説明した図７の電圧波形７５ａ、７５ｂ、７５ｃや、第２の実施の形態で説明した図１１の電圧波形８１ａ、８１ｂ、８１ｃ等も液晶表示パネルの温度の影響により変化する。
【０２９３】
そこで、第３の実施の形態では、液晶表示パネルの温度の変化にも対応出来る液晶表示装置について第１の実施の形態及び第２の実施の形態との相違点を中心に説明する。
【０２９４】
図１５は、第３の実施の形態の液晶表示装置１’の構成を示すブロック図である。第１の実施の形態及び第２の実施の形態との相違点は、第１及び第２の実施の形態の液晶表示装置１がバックライト制御部１９を備えていたのに対して、第３’の実施の形態の液晶表示装置１’がバックライト制御部１９’を備えており、また、第３の実施の形態の液晶表示装置１’がさらに温度センサ２７を備えている点である。
【０２９５】
温度センサ２７は、液晶表示パネル１０が形成された基板上に取り付けられており、温度を検知するセンサである。
【０２９６】
図１６は、第３の実施の形態のバックライト制御部１９’の構成を示すブロック図である。
【０２９７】
第３の実施の形態のバックライト制御部１９’は、温度に応じた輝度テーブルを記憶する輝度テーブル記憶部４８’、温度センサ２７が検知した温度から液晶表示パネル１０の温度を求め、求めた液晶表示パネル１０の温度に応じた輝度テーブルを輝度テーブル記憶部４８’から選択する輝度テーブル選択部２８を備えている。これ以外は、第３の実施の形態のバックライト制御部１９’は、第１及び第２の実施の形態のバックライト制御部１９と同一である。
【０２９８】
次に、このような本発明の第３の実施の形態の液晶表示装置１’及び本発明の一実施の形態である液晶表示装置の駆動方法について第１及び第２の実施の形態との相違点を中心に説明する。
【０２９９】
図１７（ａ）は、黒色に対応する電圧が画素の表示素子に書き込まれている時に、白色に対応する電圧を画素の表示素子に書き込んだとき、画素の表示素子に書き込まれた電圧がどのように変化するかを示す図である。
【０３００】
図１７（ａ）において、５０ａ、５０ｂ、５０ｃは、液晶表示パネル１０の温度がそれぞれ摂氏８０度、摂氏５０度、摂氏２０度の場合に画素の表示素子に書き込まれた電圧波形を示す。摂氏８０度の場合に画素の表示素子に書き込まれた電圧波形５０ａは、時間Ｑ１で白色に対応する電圧に到達し、摂氏５０度の場合に画素の表示素子に書き込まれた電圧波形５０ｂは、時間Ｑ２で白色に対応する電圧に到達し、摂氏２０度の場合に画素の表示素子に書き込まれた電圧波形５０ｃは、時間Ｑ３で白色に対応する電圧に到達する。
【０３０１】
また、図１７（ｂ）は、白色に対応する電圧が画素の表示素子に書き込まれている時に、黒色に対応する電圧を画素の表示素子に書き込んだとき、画素の表示素子に書き込まれた電圧がどのように変化するかを示す図である。
【０３０２】
図１７（ｂ）において、５１ａ、５１ｂ、５１ｃは、液晶表示パネル１０の温度がそれぞれ摂氏８０度、摂氏５０度、摂氏２０度の場合に画素の表示素子に書き込まれた電圧波形を示す。摂氏８０度の場合に画素の表示素子に書き込まれた電圧波形５１ａは、時間Ｑ４で白色に対応する電圧に到達し、摂氏５０度の場合に画素の表示素子に書き込まれた電圧波形５１ｂは、時間Ｑ５で白色に対応する電圧に到達し、摂氏２０度の場合に画素の表示素子に書き込まれた電圧波形５１ｃは、時間Ｑ６で白色に対応する電圧に到達する。
【０３０３】
図１７（ａ）、図１７（ｂ）から明らかなように、液晶表示パネル１０の温度が低下するにつれて、画素の表示素子に書き込まれた電圧が、画素の表示素子に書き込みが開始されてから目標とする書き込み電圧に到達するまでの時間が増加している。これは、液晶表示パネル１０の温度が低下するにつれて、液晶の粘性が増加することに起因している。
【０３０４】
従って、第３の実施の形態では、図１６に示す輝度テーブル記憶部４８’に予め、液晶表示パネル１０の温度毎に輝度テーブルを複数個記憶させておく。
【０３０５】
図１８（ａ）、図１８（ｂ）、図１８（ｃ）に温度に応じた輝度テーブルの一例を示す。図１８（ａ）は、液晶表示パネル１０の温度が摂氏８０度の場合の輝度テーブルの概略図であり、図１８（ｂ）は、液晶表示パネル１０の温度が摂氏５０度の場合の輝度テーブルの概略図であり、図１８（ｃ）は、液晶表示パネル１０の温度が摂氏２０度の場合の輝度テーブルの概略図である。
【０３０６】
なお、図１８（ａ）などの示す温度毎の輝度テーブルの求め方は、各温度において、第１の実施の形態または第２の実施の形態で説明した輝度テーブルの求め方と同様にして求めればよい。
【０３０７】
輝度テーブル選択部２８は、輝度テーブル記憶部４８’に記憶されている温度毎の輝度テーブルから、温度センサ２７が検知した液晶表示パネル１０の温度に対応する輝度テーブルを選択する。
【０３０８】
バックライト制御部１９’は、第１の実施の形態または第２の実施の形態と同様にして、バックライトブロック１５ａなどの点灯消灯を制御するとともに、輝度テーブル選択部２８により選択された輝度テーブルを用いて、第１の実施の形態または第２の実施の形態と同様に、バックライトブロック１５ａの輝度をも制御する。
【０３０９】
このようにすることにより、第３の実施の形態の液晶表示装置１’は、液晶表示パネル１０の温度が変化しても、第１の実施の形態または第２の実施の形態と同等の効果を発揮することが出来る。
【０３１０】
なお、第１〜第３の実施の形態では、液晶表示パネル１０が有する液晶層にＯＣＢモード液晶が用いられているとして説明したが、ＯＣＢモード液晶以外の液晶を用いても構わない。例えば、ＴＮ（ツイストネマチック）タイプの液晶層、ＳＴＮ（Ｓｕｐｅｒ−Ｔｗｉｓｔｅｄ  Ｎｅｍａｔｉｃ）モードの液晶層、ＤＳＭ（Ｄｙｎａｍｉｃ  Ｓｃａｔｔｅｒｉｎｇ  Ｍｏｄｅ：動的散乱モード）の液晶層、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折モード）の液晶層、ＶＡ（Ｖｅｒｔｉｃａｌｌｙ  Ａｌｉｇｎｅｄ）  ｍｏｄｅの液晶層などを用いても構わない。なお、液晶表示パネル１０でＣＲＴのようなインパルス型の表示に近づけるためには、高速応答性を有する液晶を用いることがより好ましい。
【０３１１】
さらに、また、第１の実施の形態の液晶表示装置１、及び第２の実施の形態の液晶表示装置１、及び第３の実施の形態の液晶表示装置１’は、前述したように、従来の液晶表示装置１０１と同様にＯＣＢモードの液晶表示素子を用いた、フィールドシーケンシャル方式の液晶表示装置であるとして説明した。すなわち、ＯＣＢモードの液晶表示素子を用いた方が、ＴＮ（Ｔｗｉｓｔｅｄ  Ｎｅｍａｔｉｃ）配向液晶表示パネルを用いるより高速応答性の点で好ましい。
【０３１２】
しかしながら、このことは、上述したように、第１の実施の形態の液晶表示装置１の液晶表示パネル１０または第２に実施の形態の液晶表示パネル１０または第３の実施の形態の液晶表示パネル１０が、ＯＣＢモード液晶を用いるものであることに限定するものではなく、また、第１の実施の形態の液晶表示装置１の液晶表示パネル１０または第２の実施の形態の液晶表示パネル１０または第３の実施の形態の液晶表示パネル１０が、フィールドシーケンシャル方式の液晶表示パネルであることに限定するものでもない。
【０３１３】
第１の実施の形態の液晶表示装置１の液晶表示パネル１０、または第２の実施の形態の液晶表示装置１の液晶表示パネル１０、または第３の実施の形態の液晶表示パネル１０として、ＴＮ（Ｔｗｉｓｔｅｄ  Ｎｅｍａｔｉｃ）配向液晶表示パネルなど、逆転移防止駆動を必要としない液晶層を用いた液晶表示パネルを用いて黒挿入駆動を行う場合についても、上記第１の実施の形態、第２の実施の形態及び第３の実施の形態を以下のように適用することが出来る。
【０３１４】
すなわち、このような液晶表示装置の場合には、上記第１の実施の形態及び第２の実施の形態で説明した転移駆動を行う必要がない。それ以外は、第１の実施の形態または第２の実施の形態と同様である。
【０３１５】
また、フィールドシーケンシャル方式でなく、対向基板にカラーフィルタが形成された液晶表示装置にも第１の実施の形態や第２の実施の形態や第３の実施の形態が適用出来ることは言うまでもない。
【０３１６】
このような液晶表示装置の場合には、上述した記述において、赤表示期間（赤書き込み）と引き続く黒挿入期間（黒書き込み）とで１フレーム（または１フィールド期間）が構成されていると読み替え、さらに赤表示期間（赤書き込み）を表示期間（色書き込み）と読み替えれば、上述した記述をそのまま適用することが出来る。
【０３１７】
また、第１の実施の形態の液晶表示装置１及び第２の実施の形態の液晶表示装置１及び第３の実施の形態の液晶表示装置１’において、赤書き込み、黒挿入、緑書き込み、黒挿入、青書き込み、黒挿入の順に、液晶表示パネル１０を駆動するとして説明したが、これに限らない。
【０３１８】
赤書き込み、緑書き込み、青書き込み、黒挿入の順に液晶表示パネル１０を駆動する場合にも、第１の実施の形態、第２の実施の形態及び第３の実施の形態を適用することが出来る。このように黒挿入の期間を１フレーム（または１フィールド）期間において一回に減らすことにより、赤書き込み、緑書き込み、青書き込みのそれぞれの期間を長くすることが出来るので、高輝度の表示が可能になる。
【０３１９】
また、赤書き込み、緑書き込み、青書き込みのいずれかの期間の前（過去）または後ろ（未来）で一回だけ黒挿入を行う場合にも、上記同様に高輝度の表示が可能になる。さらに、赤書き込み、緑書き込み、青書き込みの任意の２箇所の期間で黒挿入を行う場合も、上記と同様に高輝度の表示が可能になる。
【０３２０】
また、ＴＮ（Ｔｗｉｓｔｅｄ  Ｎｅｍａｔｉｃ）配向液晶表示パネルなど、逆転移防止駆動を必要としない液晶層を用いた液晶表示パネルを用いてフィールドシーケンシャル方式の表示を行う場合、すなわち、赤書き込み、緑書き込み、青書き込みの順に液晶表示パネル１０を駆動し、黒挿入を行わない場合にも、第１の実施の形態及び第２の実施の形態及び第３の実施の形態を適用することが出来る。
【０３２１】
なお、第１の実施の形態または第２の実施の形態において、バックライト制御部１９が、輝度テーブル記憶部４８を利用して、バックライトブロック１５ａ〜１５ｅの輝度を制御するとして説明したが、バックライトブロック１５ａ〜１５ｅの輝度の制御は以下の第１〜第４のいずれかの方法により実現することが出来る。
【０３２２】
まず第１の輝度の制御方法は、第１の実施の形態及び第２の実施の形態で説明したように赤色のＬＥＤ点灯開始時期４７ａ、赤色のＬＥＤ点灯終了時期４７ｂ等を決定した後、赤色のＬＥＤの点灯期間中に、赤色のＬＥＤを点灯させるために供給する電圧を一定に保ち、輝度テーブルから求めた０から１までの値に応じて電流を可変する方法である。緑色のＬＥＤ及び青色のＬＥＤについても同様の動作を行う。
【０３２３】
また、第２の輝度の制御方法は、第１の実施の形態及び第２の実施の形態で説明したように赤色のＬＥＤ点灯開始時期４７ａ、赤色のＬＥＤ点灯終了時期４７ｂ等を決定した後、赤色のＬＥＤの点灯期間中に、赤色のＬＥＤを点灯させるために供給する電流を一定に保ち、輝度テーブルから求めた０から１までの値に応じて電圧を可変する方法である。緑色のＬＥＤ及び青色のＬＥＤについても同様の動作を行う。
【０３２４】
また、第３の輝度の制御方法は、第１の実施の形態及び第２の実施の形態で説明したように赤色のＬＥＤ点灯開始時期４７ａ、赤色のＬＥＤ点灯終了時期４７ｂ等を決定した後、赤色のＬＥＤの点灯期間中に、輝度テーブルから求めた０から１までの値に応じて赤色のＬＥＤを点灯させるために供給する電流と電圧を両方可変する方法である。緑色のＬＥＤ及び青色のＬＥＤについても同様の動作を行う。
【０３２５】
また、第４の輝度の制御方法は、第１の実施の形態及び第２の実施の形態で説明したように赤色のＬＥＤ点灯開始時期４７ａ、赤色のＬＥＤ点灯終了時期４７ｂ等を決定した後、赤色のＬＥＤの点灯期間中に、赤色のＬＥＤを、赤色のＬＥＤの点灯周期に比べて短い周期（非常に高い周波数）でＰＷＭ（Ｐｕｌｓｅ  Ｗｉｄｔｈ  Ｍｏｄｕｌａｔｉｏｎ）制御し、輝度テーブルから求めた０から１までの値に応じてＰＷＭ信号のデューティーを可変する方法である。緑色のＬＥＤ及び青色のＬＥＤについても同様の動作を行う。
【０３２６】
上記第１〜第４のいずれかの輝度の制御方法を用いることにより、バックライトブロック１５ａ〜１５ｅの点灯期間において、バックライト制御部１９が、画素の表示素子に書き込まれた電圧に基づいて、バックライトブロック１５ａ〜１５ｅの輝度を制御することが出来るようになる。
【０３２７】
また、第３の実施の形態においても、バックライトブロック１５ａ〜１５ｅの輝度の制御は上記の第１〜第４のいずれかの方法により実現することが出来ることは言うまでもない。
【０３２８】
さらに、第１の実施の形態及び第２の実施の形態では、基準値記憶部４０に記憶されている基準となる輝度及び／または輝度に基づいて、調光制御部３３が点灯比率を決定し、点灯比率記憶部４４に記憶した。そして、点灯比率記憶部４４に記憶されている点灯比率に基づいて、演算部４６が各色のＬＥＤの点灯期間を決定し、さらに決定した各色のＬＥＤの点灯期間についての点灯開始時期及び点灯終了時期を決定したが、これに限定するものではない。
【０３２９】
例えば、第１の実施の形態においては、図７において、赤色の表示について説明すると、演算部４６が、図７の時期（Ｔ１＋Ｔ２）／２を決定したら、決定した時期（Ｔ１＋Ｔ２）／２を保持する。そして、演算部４６は、保持している時期（Ｔ１＋Ｔ２）／２を参照して、赤色のＬＥＤ点灯開始時期４７ａ及び赤色のＬＥＤ点灯終了時期４７ｂを決定してもよい。緑色のＬＥＤ及び青色のＬＥＤについても同様である。このように、時期（Ｔ１＋Ｔ２）／２等を一旦決定したらその時期を保持しておくことにより、１フレーム（または１フィールド）期間毎に、時期（Ｔ１＋Ｔ２）／２を再度計算して求める必要がないので、演算部４６における演算量を削減することが出来る。
【０３３０】
また、第２の実施の形態においては、図１１において、赤色の表示について説明すると、演算部４６が、図１１の時期Ｔ２０を決定したら、決定した時期Ｔ２０を保持する。そして、演算部４６は、保持している時期Ｔ２０を参照して、赤色のＬＥＤ点灯開始時期４７ａ及び赤色のＬＥＤ点灯終了時期４７ｂを決定してもよい。緑色のＬＥＤ及び青色のＬＥＤについても同様である。このように、時期Ｔ２０を一旦決定したらその時期を保持しておくことにより、１フレーム（または１フィールド）期間毎に、時期Ｔ２０等を再度計算して求める必要がないので演算部４６における演算量を削減することが出来る。
【０３３１】
さらに、第１及び第２の実施の形態では、バックライト１１の光源はＬＥＤ１３ａ〜１３ｅ、１４ａ〜１４ｅであるとして説明したが、これに限らず、バックライト１１の光源として冷陰極管を用いても構わない。また、バックライト１１の光源としてＥＬ素子を用いた表示装置を用いても構わない。要するに、バックライト１１の光源として、高速応答性を有する光源を用いさえすればよい。
【０３３２】
さらに、第１及び第２の実施の形態では、バックライト１１の光源としてＬＥＤが、各バックライトブロックの両側に一つずつ設けられているとして説明したが、これに限らない。各バックライトブロックに関して、その片側に１個設けても構わない。なお、この場合、ＬＥＤが設けられている側とは反対側に光センサ部２６を設けてもよい。
【０３３３】
さらに、第１及び第２の実施の形態では、バックライト１１が５個のバックライトブロック１５ａ〜１５ｅに分割されているとしたが、これに限らない。バックライト１１が複数のバックライトブロックに分割されておらず、ただ一つのバックライトから構成されていても構わない。さらに、バックライト１１が２個以上のバックライトブロックに分割されており、多くとも液晶表示パネルの縦方向の画素数（走査線の本数）に等しい個数のバックライトブロックに分割されていてもよい。なお、液晶表示パネルの縦方向の画素数（走査線の本数）の１／５程度の個数から走査線の本数に等しい個数のバックライトとしては、例えばＥＬ表示装置を用いて構成することも可能である。
【０３３４】
尚、本発明のプログラムは、上述した本発明の液晶表示装置の全部又は一部の部の機能をコンピュータにより実行させるためのプログラムであって、コンピュータと協働して動作するプログラムである。
【０３３５】
又、本発明の記録媒体は、上述した本発明の液晶表示装置の全部又は一部の部等の全部又は一部の機能をコンピュータにより実行させるためのプログラムを記録した記録媒体であり、コンピュータにより読み取り可能且つ、読み取られた前記プログラムが前記コンピュータと協動して前記機能を実行する記録媒体である。
【０３３６】
尚、本発明の上記「一部の部等」とは、それらの複数の部の内の、一つ又は幾つかの部を意味する。
【０３３７】
又、本発明の上記「部等の機能」とは、前記部の全部又は一部の機能を意味する。
【０３３８】
又、本発明のプログラムの一利用形態は、コンピュータにより読み取り可能な、ＲＯＭ等の記録媒体に記録され、コンピュータと協働して動作する態様であっても良い。
【０３３９】
又、本発明のプログラムの一利用形態は、インターネット等の伝送媒体、光・電波・音波等の伝送媒体中を伝送し、コンピュータにより読みとられ、コンピュータと協働して動作する態様であっても良い。
【０３４０】
又、上述した本発明のコンピュータは、ＣＰＵ等の純然たるハードウェアに限らず、ファームウェアや、ＯＳ、更に周辺機器を含むものであっても良い。
【０３４１】
尚、以上説明した様に、本発明の構成は、ソフトウェア的に実現しても良いし、ハードウェア的に実現しても良い。
【産業上の利用可能性】
【０３４２】
本発明に係る液晶表示装置、液晶表示装置の駆動方法、プログラム、及び記録媒体は、コントラストの低下を抑制することが出来るという効果を有し、液晶表示パネルを照明するバックライトを備えた液晶表示装置、液晶表示装置の駆動方法、プログラム、及び記録媒体等に有用である。
【０３４３】
また、本発明に係る液晶表示装置、液晶表示装置の駆動方法、プログラム、及び記録媒体は、動画応答性の低下を抑制することが出来るという効果を有し、液晶表示パネルを照明するバックライトを備えた液晶表示装置、液晶表示装置の駆動方法、プログラム、及び記録媒体等に有用である。
【０３４４】
また、本発明に係る液晶表示装置、液晶表示装置の駆動方法、プログラム、及び記録媒体は、消費電力を少なくすることが出来るという効果を有し、液晶表示パネルを照明するバックライトを備えた液晶表示装置、液晶表示装置の駆動方法、プログラム、及び記録媒体等に有用である。
【図面の簡単な説明】
【０３４５】
【図１】本発明の第１及び第２の実施の形態における液晶表示装置の構成を示すブロック図
【図２】（ａ）本発明の第１及び第２の実施の形態における液晶表示装置に用いられるバックライトの概要を示す平面図  （ｂ）本発明の第１及び第２の実施の形態における液晶表示装置に用いられるバックライトの概要を示す側面図
【図３】本発明の第１及び第２の実施の形態における液晶表示装置の照明系の詳細な構成を示すブロック図
【図４】（ａ）本発明の第１〜第３の実施の形態における液晶表示装置に用いられる光センサ部の概要を示す平面図  （ｂ）本発明の第１〜第３の実施の形態における液晶表示装置に用いられる光センサ部の概要を示す断面図
【図５】本発明の第１〜第３の実施の形態における液晶表示装置の画素の構成を示す等価回路
【図６】本発明の第１〜第３の実施の形態におけるバックライトブロックと、バックライトブロックに対向する液晶表示パネルの表示領域の部分との関係を示す図
【図７】本発明の第１の実施の形態における液晶表示装置のバックライトブロックに対向する液晶表示パネルの表示領域内に存在する走査線のうち特定の走査線上の特定の画素の表示素子に書き込まれた電圧波形と、バックライトブロックの各色の点灯消灯状態を示すタイミングチャート図
【図８】（ａ）本発明の第１の実施の形態における解析結果記憶部に記憶されている情報を示す図  （ｂ）本発明の第１の実施の形態における時期記憶部に記憶されている情報を示す図  （ｃ）本発明の第１の実施の形態における輝度テーブル記憶部に記憶されている情報を示す図
【図９】本発明の第１の実施の形態における液晶表示装置のバックライトブロックに対向する液晶表示パネルの表示領域内に存在する走査線のうち特定の走査線上の特定の画素の表示素子に書き込まれた電圧波形と、バックライトブロックの各色の点灯消灯状態を示すタイミングチャート図
【図１０】本発明の第１の実施の形態における液晶表示装置のバックライトブロックに対向する液晶表示パネルの表示領域内に存在する走査線のうち特定の走査線上の特定の画素の表示素子に書き込まれた電圧波形と、バックライトブロックの各色の点灯消灯状態を示すタイミングチャート図
【図１１】本発明の第２の実施の形態における液晶表示装置のバックライトブロックに対向する液晶表示パネルの表示領域内に存在する走査線のうち特定の走査線上の特定の画素の表示素子に書き込まれた電圧波形と、バックライトブロックの各色の点灯消灯状態を示すタイミングチャート図
【図１２】（ａ）本発明の第２の実施の形態における解析結果記憶部に記憶されている情報を示す図  （ｂ）本発明の第２の実施の形態における時期記憶部に記憶されている情報を示す図  （ｃ）本発明の第２の実施の形態における輝度テーブル記憶部に記憶されている情報を示す図
【図１３】本発明の第２の実施の形態における液晶表示装置のバックライトブロックに対向する液晶表示パネルの表示領域内に存在する走査線のうち特定の走査線上の特定の画素の表示素子に書き込まれた電圧波形と、バックライトブロックの各色の点灯消灯状態を示すタイミングチャート図
【図１４】本発明の第２の実施の形態における液晶表示装置のバックライトブロックに対向する液晶表示パネルの表示領域内に存在する走査線のうち特定の走査線上の特定の画素の表示素子に書き込まれた電圧波形と、バックライトブロックの各色の点灯消灯状態を示すタイミングチャート図
【図１５】本発明の第３の実施の形態における液晶表示装置の構成を示すブロック図
【図１６】本発明の第３の実施の形態における液晶表示装置の照明系の詳細な構成を示すブロック図
【図１７】（ａ）本発明の第３の実施の形態における、黒色に対応する電圧が画素の表示素子に書き込まれている時に、白色に対応する電圧を画素の表示素子に書き込んだとき、画素の表示素子に書き込まれた電圧がどのように変化するかを示す図  （ｂ）本発明の第３の実施の形態における、白色に対応する電圧が画素の表示素子に書き込まれている時に、黒色に対応する電圧を画素の表示素子に書き込んだとき、画素の表示素子に書き込まれた電圧がどのように変化するかを示す図
【図１８】（ａ）本発明の第３の実施の形態における輝度テーブルの一例を示す図  （ｂ）本発明の第３の実施の形態における輝度テーブルの一例を示す図  （ｃ）本発明の第３の実施の形態における輝度テーブルの一例を示す図
【図１９】（ａ）ＯＣＢモードの表示素子が有する液晶分子の配向状態を模式的に示した断面図であり、電圧印加状態を示す断面図  （ｂ）ＯＣＢモードの表示素子が有する液晶分子の配向状態を模式的に示した断面図であり、電圧印加状態を示す断面図  （ｃ）ＯＣＢモードの表示素子が有する液晶分子の配向状態を模式的に示した断面図であり、電圧無印加状態を示した断面図
【図２０】従来の液晶表示装置の構成を示すブロック図
【図２１】従来の液晶表示装置の特定の画素の表示素子に書き込まれた電圧波形と、バックライトの各色の点灯消灯状態を示すタイミングチャート図
【符号の説明】
【０３４６】
１、１’  液晶表示装置
２  ソースドライバ
３  ゲートドライバ
４  コントローラ
１０  液晶表示パネル
１１  バックライト
１３ａ、１３ｂ、１３ｃ、１３ｄ、１３ｅ  ＬＥＤ
１４ａ、１４ｂ、１４ｃ、１４ｄ、１４ｅ  ＬＥＤ
１５ａ、１５ｂ、１５ｃ、１５ｄ、１５ｅ  バックライトブロック
１６  入力電源
１７  液晶駆動電圧発生回路
１８  調光部
１９、１９’  バックライト制御部
２１  信号処理部
２３  タイミング制御部
２４  Ｄ／Ａ変換部
２５  シフトレジスタ
２７  温度センサ
２８  輝度テーブル選択部
３３  調光制御部
４０  基準値記憶部
４４  点灯比率記憶部
４５  解析結果記憶部
４５ａ  最後の画素書き込み電圧到達時間
４５ｂ  最初の画素書き込み電圧到達時間
４５ｃ  最後の画素黒挿入電圧到達時間
４５ｄ  真中の画素書き込み電圧最接近時間
４５ｅ  最後の画素閾値電圧到達時間
４５ｆ  最初の画素閾値電圧離脱時間
４７ａ  赤色のＬＥＤ点灯開始時期
４７ｂ  赤色のＬＥＤ点灯終了時期
４７ｃ  緑色のＬＥＤ点灯開始時期
４７ｄ  緑色のＬＥＤ点灯終了時期
４７ｅ  青色のＬＥＤ点灯開始時期
４７ｆ  青色のＬＥＤ点灯終了時期
４６  演算部
４７  時期記憶部
４８、４８’  輝度テーブル記憶部
７７ａ  最初の走査線
７７ｂ  真中の走査線
７７ｃ  最後の走査線
７８ａ  最初の画素
７８ｂ  真中の画素
７８ｃ  最後の画素
【図１】
2008304644.tif 000003
【図２】
2008304644.tif 000004
【図３】
2008304644.tif 000005
【図４】
2008304644.tif 000006
【図５】
2008304644.tif 000007
【図６】
2008304644.tif 000008
【図７】
2008304644.tif 000009
【図８】
2008304644.tif 000010
【図９】
2008304644.tif 000011
【図１０】
2008304644.tif 000012
【図１１】
2008304644.tif 000013
【図１２】
2008304644.tif 000014
【図１３】
2008304644.tif 000015
【図１４】
2008304644.tif 000016
【図１５】
2008304644.tif 000017
【図１６】
2008304644.tif 000018
【図１７】
2008304644.tif 000019
【図１８】
2008304644.tif 000020
【図１９】
2008304644.tif 000021
【図２０】
2008304644.tif 000022
【図２１】
2008304644.tif 000023